(57)【要約】【課題】物理抽選に用いる抽選用移動物体の搬送経路上から駆動機構を用いた搬送機構を極力排除し、抽選用移動物体の搬送機構の大型化を抑制し、低コスト化を図る。【解決手段】ボール保持部２５２０から、大型抽選ボール２４００がその自重のみによって搬送スロープ２６００へ導入され、その自重のみによってスロープ面上を移動した後、回転搬送装置２１００に設けられた複数の保持空間Ｆの入口のいずれに進入する。その後、いずれかの抽選口から保持空間内に入り込んだ大型抽選ボールは、回転搬送装置の回転駆動により上方へ搬送され、回収箇所との対向位置に到達すると、自重のみによってボール回収口２５１０へ移動する。そして、ボール回収口へ移動した大型抽選ボールは、その自重のみによって上記ボール保持部へ搬送され、次の抽選に使用可能な状態になる。【選択図】図１
2007215650.tif 000002
【特許請求の範囲】
【請求項１】
抽選用移動物体が搬送される搬送経路の少なくとも一部が外部から視認可能に構成され、該抽選用移動物体を複数ある抽選口のいずれかに入れることで抽選を行う抽選装置において、
上記複数の抽選口をそれぞれ有する複数の保持空間を鉛直方向に対して傾斜する回転軸から放射方向に離れた領域に備え、該回転軸を回転中心として回転駆動することにより該保持空間を該回転軸を中心に周回移動させることで、該保持空間に保持された抽選用移動物体を搬送する回転搬送装置と、
上記抽選用移動物体をその自重のみによって上記複数の抽選口のいずれかへ案内する案内機構と、
上記抽選用移動物体を一時的に保持する保持部を有し、該保持部の保持状態を解除することで該保持部に保持されていた抽選用移動物体をその自重のみによって該案内機構へ導入する導入機構と、
上記複数の保持空間が周回移動する保持空間移動経路に隣接する回収箇所であって上記保持部よりも鉛直方向上方に位置する回収口を備え、該保持空間から該回収口へ進入した抽選用移動物体をその自重のみによって該保持部へ搬送する回収機構と、
回転搬送装置の各保持空間が該回収箇所との対向位置にあるときに該保持空間内に保持されている抽選用移動物体をその自重のみによって又は上記回転搬送装置の回転駆動力を利用して該回収口へ移動させる移動機構とを有することを特徴とする抽選装置。
【請求項２】
請求項１の抽選装置において、
上記案内機構は、上記保持空間移動経路の最下点部分に隣接する位置に上記抽選用移動物体が存在するときに該抽選用移動物体が載ることになる箇所を最下点とした傾斜面を用いて該抽選用移動物体を案内するものであり、
該傾斜面は、該保持空間移動経路の最下点部分に存在する保持空間を含む１又は２以上の保持空間に対して該抽選用移動物体が隣接して移動し得るように形成されており、
該案内機構は、該傾斜面上の抽選用移動物体が該１又は２以上の保持空間に隣接するときに該抽選用移動物体が該傾斜面上から該１又は２以上の保持空間の一部又は全部の抽選口のうちのいずれかに進入可能に構成されていることを特徴とする抽選装置。
【請求項３】
請求項２の抽選装置において、
上記案内機構は、上記導入機構から導入された抽選用移動物体がその自重のみによって上記傾斜面上でその最下点を中心に振り子運動するように構成されていることを特徴とする抽選装置。
【請求項４】
請求項２又は３の抽選装置において、
上記回収箇所を、上記保持空間移動経路の最下点から上記回転搬送装置の回転方向へ１８０°よりも小さい範囲内に設けたことを特徴とする抽選装置。
【請求項５】
請求項１、２、３又は４の抽選装置において、
上記複数の保持空間がそれぞれ有する複数の抽選口は、上記保持空間移動経路の外周面側に開口しており、
上記案内機構は、上記抽選用移動物体を該保持空間移動経路の外周面側から該複数の抽選口のいずれかへ案内するように構成されていることを特徴とすることを特徴とする抽選装置。
【請求項６】
抽選用移動物体を複数ある抽選口まで搬送し、該抽選用移動物体を該複数の抽選口のうちの１つに入れることで抽選を行う抽選装置と、上記抽選装置の抽選結果を利用した遊技を進行する遊技進行手段とを有する遊技機において、
上記抽選装置として、請求項１、２、３、４又は５の抽選装置を用いたことを特徴とする遊技機。
【発明の詳細な説明】
【技術分野】
【０００１】
本発明は、ボール等の抽選用移動物体が搬送される搬送経路の少なくとも一部が外部から視認可能に構成され、その抽選用移動物体を複数ある抽選口のいずれかに入れることで抽選を行う抽選装置及びこれを用いた遊技機に関するものである。
【背景技術】
【０００２】
所定の条件に従って抽選を行い、その抽選結果を利用して遊技を進行する遊技機としては、ゲームセンタ等に設置されるメダルゲーム機や、パチンコ店に設置されるパチンコ機などでよく知られている。このような遊技機で用いられる抽選装置の抽選方式は、所定の抽選プログラムを実行するコンピュータにより抽選を行う制御的な抽選（以下、「デジタル抽選」という。）と、ボール等の抽選用移動物体を複数ある抽選口のどれに入るかで抽選を行うような物理的な抽選（以下、「物理抽選」という。）とに大別することができる。近年の遊技機に用いられる抽選装置では、デジタル抽選が多く利用されている。これは、遊技者に対するペイアウト率等の設定が容易である点、簡単な演算器とＲＯＭ等で構成できるため構成が格段に簡単であり低コストである点、その構成に必要なスペースが非常に小さくて済む点などにつき、物理抽選に比べて有利だからである。
【０００３】
パチンコ機等では、最終的な抽選はデジタル抽選であるが、その抽選を開始するための抽選すなわち抽選開始条件を満たすか否かの抽選には、パチンコ玉をチャッカーに入れるという物理抽選が採用されている。また、メダルゲーム機では、例えばビンゴゲーム機などで物理抽選が採用されている。デジタル抽選の場合、遊技者の目に見えないコンピュータ内部での演算処理により抽選が行われるため、遊技者にとって抽選が行われているという実感を得ることが困難である。しかし、物理抽選の場合、その抽選が行われている間の抽選状況を遊技者が実際に目で見て確認することが可能である。これにより、遊技者は、抽選が行われているという実感を直感的に感じることができ、抽選に対する興味を湧かせることができる。よって、抽選方式として物理抽選を採用した遊技機は、デジタル抽選のみの遊技機に比べて、抽選に関する遊技性は高いと言える。このような物理抽選を行う抽選装置としては、例えば特許文献１に記載されたものが知られている。
【０００４】
【特許文献１】特開２００２−２１０２２３号公報
【発明の開示】
【発明が解決しようとする課題】
【０００５】
一般に、物理抽選を行う抽選装置において迫力のある抽選演出を行う上では、物理抽選時に移動する抽選用移動物体をなるべく大きくするのが効果的である。しかし、上記特許文献１に記載の抽選装置を含む物理抽選を行う従来の抽選装置では、比較的小さな抽選用移動物体を用いており、迫力のある抽選演出を行うことが困難であった。これは、次のような制約があるからである。すなわち、上記特許文献１に記載の抽選装置を含む従来の抽選装置の多くは、多数の抽選用移動物体の中から必要に応じて適宜選択される抽選用移動物体を用いて物理抽選を行う構成であるため、その多数の抽選用移動物体を収容しておくための収容スペースが必要となる。しかし、この収容スペースを大きくするにも限界がある。そのため、従来は、比較的小型の収容スペースでも多数の抽選用移動物体を用いて物理抽選を行うことが可能なように、個々の抽選用移動物体を小さくしていた。その結果、従来の抽選装置においては、大型の抽選用移動物体を用いた物理抽選のような迫力のある抽選演出を行うことができないという不具合があった。
【０００６】
一方で、物理抽選に使用する抽選用移動物体の数を少なくすれば、個々の抽選用移動物体を大型化して迫力のある抽選演出を行うことが可能となる。しかし、抽選用移動物体を大型化すると、小型の抽選用移動物体を用いる従来の抽選装置に比べて、抽選用移動物体を搬送するための駆動機構に係る負荷が大きくなる。そのため、大規模な駆動機構が必要となったり高価な駆動機構が必要となったりする結果、抽選用移動物体の搬送機構が大規模なものとなったり製造コストが高くなったりするといった不具合が生じる。したがって、大型の抽選用移動物体を用いる場合には、抽選用移動物体の搬送経路上から駆動機構を用いた搬送機構をなるべく排除することが望まれる。
【０００７】
なお、抽選用移動物体の搬送経路上から駆動機構を用いた搬送機構をなるべく排除することにより得られる効果、すなわち、抽選用移動物体の搬送機構の大型化抑制の効果や低コスト化の効果は、大型の抽選用移動物体を用いる場合に限らず、小型の抽選用移動物体を用いる場合でも有益である。
【０００８】
本発明は、以上の背景に鑑みなされたものであり、その目的とするところは、物理抽選に用いる抽選用移動物体の搬送経路上から駆動機構を用いた搬送機構を極力排除し、抽選用移動物体の搬送機構の大型化を抑制し、低コスト化を図ることが可能な抽選装置及びこれを用いた遊技機を提供することである。
【課題を解決するための手段】
【０００９】
上記目的を達成するために、請求項１の発明は、抽選用移動物体が搬送される搬送経路の少なくとも一部が外部から視認可能に構成され、該抽選用移動物体を複数ある抽選口のいずれかに入れることで抽選を行う抽選装置において、上記複数の抽選口をそれぞれ有する複数の保持空間を鉛直方向に対して傾斜する回転軸から放射方向に離れた領域に備え、該回転軸を回転中心として回転駆動することにより該保持空間を該回転軸を中心に周回移動させることで、該保持空間に保持された抽選用移動物体を搬送する回転搬送装置と、上記抽選用移動物体をその自重のみによって上記複数の抽選口のいずれかへ案内する案内機構と、上記抽選用移動物体を一時的に保持する保持部を有し、該保持部の保持状態を解除することで該保持部に保持されていた抽選用移動物体をその自重のみによって該案内機構へ導入する導入機構と、上記複数の保持空間が周回移動する保持空間移動経路に隣接する回収箇所であって上記保持部よりも鉛直方向上方に位置する回収口を備え、該保持空間から該回収口へ進入した抽選用移動物体をその自重のみによって該保持部へ搬送する回収機構と、回転搬送装置の各保持空間が該回収箇所との対向位置にあるときに該保持空間内に保持されている抽選用移動物体をその自重のみによって又は上記回転搬送装置の回転駆動力を利用して該回収口へ移動させる移動機構とを有することを特徴とするものである。
この抽選装置においては、導入機構の保持部から抽選用移動物体がその自重のみによって案内機構へ導入される。案内機構に導入された抽選用移動物体は、その自重のみによって移動し、回転搬送装置に設けられた複数の保持空間の入口をそれぞれ構成する複数の抽選口のいずれに案内される。これにより、抽選用移動物体がどの抽選口に入るかという抽選が行われる。このとき、回転搬送装置の回転駆動により複数の保持空間が周回移動していることから、各抽選口は案内機構に対して相対移動する。そのため、各抽選口が案内機構に対して固定されている場合に比べて、抽選結果の予測困難性が高まるなどの効果が得られる。その後、いずれかの抽選口から保持空間内に入り込んだ抽選用移動物体は、回転搬送装置の回転駆動により上方へ搬送され、回収箇所との対向位置に到達すると、移動機構により自重のみによって又は回転搬送装置の回転駆動力を利用して、回収機構の回収口へ進入する。そして、回収口へ進入した抽選用移動物体は、その自重のみによって導入機構の保持部へ搬送され、次の抽選に使用可能な状態になる。
本抽選装置によれば、抽選用移動物体が循環搬送される搬送経路上において駆動機構を用いた搬送機構は回転搬送装置のみである。すなわち、上記導入機構、上記案内機構及び上記回収機構はすべて抽選用移動物体の自重によってこれを搬送するものであり、上記移動機構は抽選用移動物体の自重又は回転搬送装置の回転駆動力を利用してこれを搬送するものであり、いずれも、回転搬送装置の駆動機構以外から搬送力を受ける必要がない。したがって、必要最小限の駆動機構だけで抽選用移動物体を循環搬送することができる。しかも、回転搬送装置の回転駆動は、抽選結果の予測困難性を高めるなどの効果を得る目的で行われている。すなわち、本抽選装置には、抽選用移動物体を搬送するためだけの駆動機構は存在しない。
【００１０】
また、請求項２の発明は、請求項１の抽選装置において、上記案内機構は、上記保持空間移動経路の最下点部分に隣接する位置に上記抽選用移動物体が存在するときに該抽選用移動物体が載ることになる箇所を最下点とした傾斜面を用いて該抽選用移動物体を案内するものであり、該傾斜面は、該保持空間移動経路の最下点部分に存在する保持空間を含む１又は２以上の保持空間に対して該抽選用移動物体が隣接して移動し得るように形成されており、該案内機構は、該傾斜面上の抽選用移動物体が該１又は２以上の保持空間に隣接するときに該抽選用移動物体が該傾斜面上から該１又は２以上の保持空間の一部又は全部の抽選口のうちのいずれかに進入可能に構成されていることを特徴とするものである。
この抽選装置においては、案内機構が有する傾斜面上の最下点に抽選用移動物体が存在するとき、その抽選用移動物体が保持空間移動経路の最下点部分に隣接するように構成されている。そして、傾斜面上の抽選用移動物体は、保持空間移動経路の最下点部分に存在する保持空間を含んだ１又は２以上の保持空間に隣接して移動し、徐々にスピードを落としていく。そして、最終的には傾斜面上の最下点付近に静止しようとし、上記１又は２以上の保持空間の一部又は全部の抽選口のうちのいずれかに進入する。
【００１１】
また、請求項３の発明は、請求項２の抽選装置において、上記案内機構は、上記導入機構から導入された抽選用移動物体がその自重のみによって上記傾斜面上でその最下点を中心に振り子運動するように構成されていることを特徴とするものである。
この抽選装置においては、傾斜面上の抽選用移動物体が振り子運動することで、その抽選用移動物体がどの抽選口へいつ入るかという抽選者の興味を引くことができる。
【００１２】
また、請求項４の発明は、請求項２又は３の抽選装置において、上記回収箇所を、上記保持空間移動経路の最下点から上記回転搬送装置の回転方向へ１８０°よりも小さい範囲内に設けたことを特徴とするものである。
この抽選装置においては、いずれかの抽選口に入って保持空間内に保持された抽選用移動物体が半周するまでの間に、抽選用移動物体を回収機構で回収することができる。よって、抽選を終えた抽選用移動物体を迅速に回収して次の抽選に使用可能な状態にすることができる。
【００１３】
また、請求項５の発明は、請求項１、２、３又は４の抽選装置において、上記複数の保持空間がそれぞれ有する複数の抽選口は、上記保持空間移動経路の外周面側に開口しており、上記案内機構は、上記抽選用移動物体を該保持空間移動経路の外周面側から該複数の抽選口のいずれかへ案内するように構成されていることを特徴とすることを特徴とするものである。
この抽選装置において、案内機構に案内される抽選用移動物体は、複数の保持空間が周回移動する保持空間移動経路の外周面側を移動することになる。よって、保持空間移動経路の内周面側のスペースが案内機構によって占有されることがなくなり、このスペースに案内機構以外の他の装置を配置することが可能となる。保持空間移動経路の内周面側のスペースは、一般に抽選者の目を引きやすい部分であるため、案内機構以外の他の装置、例えばディスプレイ装置を配置することで、このスペースの有効活用を図ることができる。
【００１４】
また、請求項６の発明は、抽選用移動物体を複数ある抽選口まで搬送し、該抽選用移動物体を該複数の抽選口のうちの１つに入れることで抽選を行う抽選装置と、上記抽選装置の抽選結果を利用した遊技を進行する遊技進行手段とを有する遊技機において、上記抽選装置として、請求項１、２、３、４又は５の抽選装置を用いたことを特徴とするものである。
この遊技機においては、上述した請求項１乃至５のいずれか１つに記載の抽選装置を用いて抽選を行うので、抽選用移動物体の搬送機構の大型化抑制や低コスト化を実現でき、本遊技機自体の大型化抑制や低コスト化を実現できる。
【発明の効果】
【００１５】
請求項１乃至６の発明によれば、物理抽選に用いる抽選用移動物体の搬送経路上から駆動機構を用いた搬送機構を極力排除し、抽選用移動物体の搬送機構の大型化を抑制し、低コスト化を図ることが可能となるという優れた効果が奏される。
特に、請求項２の発明によれば、抽選の演出効果に優れた抽選装置を提供できるという優れた効果が奏される。
また、請求項３の発明によれば、抽選の演出効果をより高めることができるという優れた効果が奏される。
また、請求項４の発明によれば、抽選用移動物体を迅速に回収して次の抽選に使用可能な状態にすることができるという優れた効果が奏される。
また、請求項５の発明によれば、抽選者の目を引きやすい保持空間移動経路の内周面側スペースを有効活用することが可能となるという優れた効果が奏される。
また、請求項６の発明によれば、遊技機自体の大型化抑制や低コスト化を実現できるという優れた効果が奏される。
【発明を実施するための最良の形態】
【００１６】
以下、本発明を、メダル遊技機であるプッシャーゲーム機に適用した一実施形態について、図面を用いて説明する。なお、各図は本発明の内容を理解でき得る程度に形状、大きさ及び位置関係を概略的に示してあるに過ぎず、従って、本発明は各図で例示された形状、大きさ及び位置関係のみに限定されるものではない。また、各図では、構成の明瞭化のため、断面におけるハッチングの一部が省略されている。さらに、後述において例示する数値は、本発明の好適な例に過ぎず、従って、本発明は例示された数値に限定されるものではない。
【００１７】
（全体構成）
図４は、本実施形態に係るプッシャーゲーム機１の全体構成を示す部分斜視図である。
本プッシャーゲーム機１は、センター抽選装置２０００を囲うように４つのサテライト部ＳＡが設けられている。各サテライト部ＳＡは、それぞれ４つのステーション部ＳＴを備えており、各遊技者は各ステーション部ＳＴでそれぞれ遊技をプレイすることになる。また、各サテライト部ＳＡは、サテライト抽選装置１０００をそれぞれ１つずつ備えており、そのサテライト抽選装置１０００の周りに各ステーション部ＳＴが並んで配置されている。
【００１８】
（ステーション部の構成）
図５は、本プッシャーゲーム機１におけるステーション部ＳＴの構成を説明するための説明図である。
図６は、ステーション部ＳＴの内部構造を説明するための説明図である。
図６に示すように、ステーション部ＳＴは、メダル投入機構（投入部）１００と、メダル搬送経路２００と、リフトアップホッパ３００と、メダル排出経路４００と、プレイフィールド５００と、制御部６００と、表示部７００と、筐体８００とを有する。本実施形態においては、主として、メダル投入機構（投入部）１００、メダル搬送経路２００、リフトアップホッパ３００及びメダル排出経路４００によって、メダル送出手段が構成されている。
【００１９】
筐体８００は、ステーション部ＳＴの骨組みとなる構成である。筐体８００において、上部手前側にはメダル投入機構１００が配置され、上部奥側には表示手段としての表示部７００が配置され、上部中央にはプレイフィールド５００が配置される。また、筐体８００の内部には、メダル搬送経路２００やリフトアップホッパ３００や制御部６００などが収納される。ここで、「手前側」とは遊技者が遊技する際に位置する側を意味し、「奥側」とは遊技者が遊技する際に位置する側と反対側を意味し、「中央」とは上述した「手前側」と「奥側」との間の領域を意味する。
【００２０】
メダル投入機構１００は、遊技者が遊技する際にメダルＭをプッシャーゲーム機１へ投入するための構成である。メダル投入機構１００から投入されたメダルＭは、メダル搬送経路２００を介してリフトアップホッパ３００まで搬送され、リフトアップホッパ３００において一時的に貯留される。メダル搬送経路２００及びリフトアップホッパ３００は、上述したように、筐体８００内に配置される。なお、メダル搬送経路２００は、メダル投入機構１００とリフトアップホッパ３００とを機械的及び物理的に連結させ、メダル投入機構１００から投入されたメダルＭをリフトアップホッパ３００まで搬送する機能を有する。
【００２１】
リフトアップホッパ３００は、メダルＭを蓄積するためのメダル貯留部３１０と、メダルＭを所定の高さまでリフトアップするためのリフトアップ部３２０と、リフトアップされたメダルＭを所定のタイミングで排出するためのメダル排出部（排出部）３３０とを有する。また、メダル排出部３３０の排出口には、排出されたメダルＭをプレイフィールド５００まで導くためのメダル排出経路４００が左右に揺動可能に設けられている。
【００２２】
リフトアップ部３２０の上端は、プレイフィールド５００よりも上に配置される。これに伴い、リフトアップ部３２０の上端に設けられたメダル排出部３３０もプレイフィールド５００よりも上に配置される。したがって、プレイフィールド５００下に設けられたメダル貯留部３１０に一時蓄積されたメダルＭは、リフトアップ部３２０によりプレイフィールド５００よりも上に持ち上げられた後、メダル排出部３３０からメダル排出経路４００を介してプレイフィールド５００へ射出される。
【００２３】
プレイフィールド５００内には、主に、有効な状態にあるメダルＭを貯留するメダル載置台としてのメインテーブル５０１と、メインテーブル５０１上に載置されたメダル押出部材としてのプッシャー部５１０とが設けられている。なお、有効な状態とは、遊技に関与している状態をいう。プッシャー部５１０は、有効な状態にあるメダルＭを貯留する上面（これをサブテーブル５１１という。）と、サブテーブル５１１から落下したメダルＭがスライドする傾斜テーブル５１２と、メインテーブル５０１に貯留されたメダルＭを押進する押進壁５１３とを有する。また、プッシャー部５１０は、プレイフィールド５００におけるメインテーブル５０１上にスライド可能に設けられており、一定の周期又は任意の周期で前後にスライド運動する。プッシャー部５１０の一部（奥側）は、表示部７００下方に設けられた後述する収納部７２０に収納される。プッシャー部５１０は、この収納部７２０から出入するようにスライドすることで、前後に往復運動する。
【００２４】
サブテーブル５１１には、表示部７００におけるディスプレイ７０１の枠部材７１０が摺動可能に当接されている。したがって、プッシャー部５１０が収納部７２０へ収納される方向へ移動した際、枠部材７１０によってサブテーブル５１１上のメダルＭが押進される。この押進により、サブテーブル５１１上の一部のメダルＭが傾斜テーブル５１２へ落下する。サブテーブル５１１から落下したメダルＭの一部は、傾斜テーブル５１２に設けられたメダル通過口としての開口部（これをチャッカー５１５−１、５１５−２、５１５−３という。）に進入する。また、残りのメダルＭは、そのままメインテーブル５０１まで落下し、メインテーブル５０１に貯留される。
【００２５】
メインテーブル５０１上のメダルＭは、サブテーブル５１１上のメダルＭと同様に、プッシャー部５１０のスライド運動により押進される。すなわち、メインテーブル５０１上にはプッシャー部５１０が隙間無く載置されているため、プッシャー部５１０が収納部７２０から搬出する方向へ移動した際、プッシャー部５１０前面の押進壁５１３によってメインテーブル５０１上のメダルＭが押進される。この押進により、メインテーブル５０１上の一部のメダルＭが落下する。落下したメダルＭのうち、遊技者側の端（これを前端５０１ａ（図５参照）という）からメダル落下溝へ落下したメダルＭは遊技者に払い出され、他のメダルＭ、例えばメインテーブル５０１の両サイド（これをサイド端５０１ｂという。）から落下したメダルＭはステーション部ＳＴ内の所定の貯留部にストックされる。
【００２６】
また、上記した構成の他、図６に示すように、本実施形態によるステーション部ＳＴは、メダル移動擬似演出部９００を有する。メダル移動擬似演出部９００は、後述するように、メダル投入機構１００近傍からメダル排出部３３０近傍までに配列された複数の発光部（後述におけるＬＥＤ９２０）を有し、これら発光部をメダル投入機構１００側からメダル排出部３３０にかけて順次点灯させることで、メダル投入機構１００に投入されたメダルＭが移動する様子を模擬的に演出する。この際、メダルＭが実際に移動する経路と、演出により模擬される経路とは、同一でなくとも近接していなくとも良い。
【００２７】
また、メダル投入機構１００から投入されたメダルＭは、一時、リフトアップホッパ３００におけるメダル貯留部３１０にストックされる。リフトアップホッパ３００のメダル排出部３３０にはメダル貯留部３１０にストックされていたメダルＭがリフトアップ部３２０によりリフトアップされて予めセットされている。メダル投入機構１００にメダルＭが投入されると、リフトアップホッパ３００は、制御部６００からの制御に従って、予めメダル排出部３３０にセットされていたメダルＭをプレイフィールド５００へ排出する。このように、本実施形態では、遊技者より投入されたメダルＭと、実際にプレイフィールド５００へ投入されるメダルＭとは、異なるメダルである。
【００２８】
また、メダル移動擬似演出部９００は、メダル投入機構１００にメダルＭが投入されると、制御部６００からの制御に従って、配列されたＬＥＤ９２０を、メダル投入機構１００側からメダル排出部３３０にかけて順次点灯させる。この際、メダル排出部３３０近傍のＬＥＤ９２０を点灯させるタイミングと、メダル排出部３３０からメダルＭを排出するタイミングとを制御することで、メダル投入機構１００に投入されたメダルＭが移動する様子をメダル移動擬似演出部９００により模擬的に演出することができる。
【００２９】
この他、ステーション部ＳＴは、図５に示すように、少なくとも一方のサイドにボール投入機構１８００を有する。ボール投入機構１８００は、後述する異形物としての球状物体であるボールＢ１，Ｂ２をプレイフィールド５００へ投入するための構成であり、ボール投入スロープ１８０１とボール投入位置抽選機構１８１０とを有する。なお、ボールＢ１，Ｂ２は、後述するビンゴゲームを実行するための抽選用物体である。
【００３０】
ボール投入スロープ１８０１は、後述するボールキャリア１５２０から投入されたボールＢ１，Ｂ２をボール投入位置抽選機構１８１０まで重力により導くための構成である。したがって、下りのスロープである。また、ボール投入位置抽選機構１８１０は、ボールＢ１，Ｂ２が投入されるプレイフィールド５００上の位置を抽選するための構成である。このように、後述するボールキャリア１５２０からステーション部ＳＴへ投入されたボールＢ１，Ｂ２は、ボール投入スロープ１８０１及びボール投入位置抽選機構１８１０を介して、プレイフィールド５００に投入される。
【００３１】
また、ステーション部ＳＴは、図５に示すように、少なくとも一方のサイドにボール運搬機構１９００を有する。ボール運搬機構１９００は、プレイフィールド５００におけるメインテーブル５０１からその手前側に設けられたメダル落下溝へボールＢ１，Ｂ２が落下したとき、そのボールＢ１，Ｂ２をサテライト抽選装置１０００へ運搬するための構成であり、後述するボール搬送経路１０４０とボール運搬部１９１０とボール運搬部走行スロープ１９０１とを有する。ボール搬送経路１０４０は、前端５０１ａ下方に設けられ、前端５０１ａから落下したボールＢ１，Ｂ２をボール運搬部１９１０まで導く。ボール運搬部１９１０は、ボール搬送経路１０４０を介して受け取ったボールＢ１，Ｂ２をサテライト抽選装置１０００へ運搬するための構成であり、制御部６００の制御に従ってボール運搬部走行スロープ１９０１を走行する。なお、サテライト抽選装置１０００へ運搬されたボールＢ１，Ｂ２は、後述するボールキャリア１５２０（図９参照）へ受け渡される。
【００３２】
また、ステーション部ＳＴは、図５に示すように、リフトアップホッパ１０２０とメダル払出部１０３０とを含むメダル払出機構を有し、このメダル払出機構を駆動することで、前端５０１ａからメダル落下溝へ落下したメダルＭと同数のメダルＭが、メダル投入機構１００の貯留部１０１へ排出される。
【００３３】
また、ステーション部ＳＴにおける表示部７００には、ビンゴゲームやデジタル抽選ゲーム（スロットゲーム）など、プッシャーゲームとは異なるゲームのゲーム画面が表示される。本プッシャーゲーム機１では、後述するように、プッシャーゲームのほか、図７に示すようなスロット用ゲーム画面を表示部７００に表示してスロットゲームを実行するとともに、図８に示すようなビンゴ用ゲーム画面を表示部７００に表示してビンゴゲームを実行する。
【００３４】
スロットゲームは、主にステーション部ＳＴにおける制御部６００がデジタル的に抽選するデジタル抽選ゲームである。このスロットゲームの開始条件は、プッシャー部５１０の傾斜テーブル５１２に設けられたチャッカー５１５−１，５１５−２，５１５−３の何れかにメダルＭが進入することである。表示部７００には、後述のビンゴゲームが進行していない期間に、図７に示すようなスロット用ゲーム画面が表示され、チャッカー５１５−１，５１５−２，５１５−３の何れかにメダルＭが進入してスロット抽選開始条件が満たされると、制御部６００は、３つのダイス状スロットＤＳを回転させる表示制御を行う。スロットゲームにおけるデジタル抽選では、制御部６００が所定の抽選プログラムを実行し、生成した乱数が所定の当選テーブルに照らしていずれかの役に当選したか又はハズレたかを決定する。その後、制御部６００は、当選役が決定した場合には表示部７００にその当選役に係る図柄の組み合わせが停止表示するように、３つのダイス状スロットＤＳの回転を停止させる表示制御を行う。
【００３５】
本実施形態では、デジタル抽選の役として、プレイフィールド５００へ３枚のメダルを供給する小当たり役Ａ、プレイフィールド５００へ８枚のメダルを供給する小当たり役Ｂ、プレイフィールド５００へボールＢ１を供給するボール供給役、プレイフィールド５００へ３０枚のメダルを供給する通常ボーナス役、プレイフィールド５００へ３０枚のメダルを供給するとともに以後のデジタル抽選で当選確率が高めに設定された当選テーブルを用いる確変ボーナス役、サテライト抽選装置１０００へボールＢ１を直接供給する直接サテライト役、センター抽選装置２０００へボールＢ１を直接供給する直接センター役などが用意されている。各役の当選確率はこの順に低くなるように設定されている。なお、どのような役を用意し、各役をどのような当選確率に設定するかは任意である。例えば、メダルＭを遊技者へ直接払い出すなど、種々の利益を遊技者へ与えるように構成しても良い。
【００３６】
本実施形態においては、制御部６００が供給抽選手段として機能し、ボール供給役に当選するか否かを決定することにより、プレイフィールド５００へボールＢ１を供給するか否かの抽選を行う。そして、制御部６００のデジタル抽選によりボール供給役が当選すると、制御部６００からサテライト抽選装置１０００の図示しない制御部へボール供給命令が出力される。これにより、サテライト抽選装置１０００の制御部は、後述するように、ボール供給機構１３００からボールキャリア１５２０へボールＢ１を受け渡させ、そのボールキャリア１５２０を環状のボール搬送経路１５００外周に沿って、当該ボール供給役が当選したステーション部ＳＴの対応位置まで移動させる。そして、そのボールキャリア１５２０から当該ステーション部ＳＴのボール投入機構１８００へボールＢ１が受け渡され、そのボール投入機構１８００からプレイフィールド５００へボールＢ１が供給される。なお、本実施形態において、ボールＢ２は後述するビンゴゲームのビンゴカード上において特定ラインのビンゴが成立したときにのみプレイフィールド５００へ供給される。このときのボール供給に関わる構成及び動作は、ボール供給機構１３００とは別のボール供給機構１４００からボールキャリア１５２０へボールＢ２を受け渡させる以外は、ボールＢ１の場合とほぼ同様である。
本実施形態では、このようにボールＢ１，Ｂ２をプレイフィールド５００へ供給するための構成部分が異形物供給手段を構成する。
【００３７】
ビンゴゲームは、２種類のボールＢ１，Ｂ２とサテライト抽選装置１０００とを用いた物理抽選により進行する物理抽選ゲームであり、後述するサテライト抽選装置１０００における図示しない制御部とステーション部ＳＴにおける制御部６００とによって進行する。なお、ビンゴゲームにおいて、サテライト抽選装置１０００の制御部は主にビンゴゲームの当選ビンゴ数字を決定する抽選を制御し、そのサテライト抽選装置１０００を含むサテライト部ＳＡに属する各ステーション部ＳＴの制御部６００が主にビンゴゲームの演出やビンゴ成立の判定等の制御を担当する。本実施形態では、サテライト抽選装置１０００でボールＢ１，Ｂ２を移動させることにより、互いに異なる複数のビンゴ数字（抽選対象）の中から１つの当選ビンゴ数字（当選対象）を選択するという物理抽選を行う。本実施形態の物理抽選では、「１」〜「９」のビンゴ数字の中から１つの当選ビンゴ数字を選択する。そして、これらの「１」〜「９」のビンゴ数字がマトリクス状に配列されたビンゴカードの配列情報を、例えばステーション部ＳＴの配列情報生成手段としての制御部６００で各ステーション部ＳＴごとに個別に生成する。その後、「１」〜「９」のビンゴ数字の画像（抽選対象画像）がその配列情報に従って配列されたビンゴカード画像ＢＣが図８に示すように各ステーション部ＳＴの表示部７００に表示される。本実施形態では、ビンゴゲームが行われていない期間は、表示部７００に図７に示したスロット用ゲーム画面が表示されており、ビンゴゲームの物理抽選が開始されるときに図８に示すビンゴ用ゲーム画面に切り替わる。なお、ビンゴゲームの物理抽選が終わると再びスロット用ゲーム画面に戻るが、ビンゴカード画像ＢＣは図７に示すようにスロット用ゲーム画面の上部に小さく表示される。よって、遊技者は、自分がプレイするステーション部ＳＴのビンゴカードで当選ビンゴ数字がどの程度揃っているかを常に確認することができる。
【００３８】
本実施形態において、各ステーションで行われる各ビンゴゲームは、通常は、ステーション部ＳＴごとに独立して行われる。すなわち、一のステーション部ＳＴでボールＢ１，Ｂ２がメダル落下溝に落下してサテライト抽選装置１０００で物理抽選が開始されると、これにより当選したビンゴ数字は、当該一のステーション部ＳＴだけに当選ビンゴ数字として取り扱われ、他のステーション部ＳＴでは当選ビンゴ数字として取り扱われない。ただし、本実施形態においては、後述する所定のイベント条件を満たすと、一のステーション部ＳＴのメダル落下溝にボールＢ１，Ｂ２が落下したときに行われる物理抽選で当選するビンゴ数字は、当該一のステーション部ＳＴだけでなく、他のステーション部ＳＴの当選ビンゴ数字としても取り扱われる。
【００３９】
ここで、本実施形態における他のステーション部ＳＴは、当該一のステーション部ＳＴと同じサテライト部ＳＡに属する残り３つのステーション部ＳＴである。すなわち、本実施形態においては、本プッシャーゲーム機１に備わっている全ステーション部ＳＴを複数グループに分けて各グループをサテライト部ＳＡとし、そのサテライト部ＳＡに属するステーション部ＳＴ間においては上記イベント条件が満たされることで各遊技者の遊技が互いに関連し合うという状況を生むことができる。その結果、例えば同一サテライト部ＳＡに属するステーション部ＳＴでそれぞれプレイする遊技者が互いに協力してメダル獲得をめざすというような遊技性が生まれる。
その他、本実施形態におけるビンゴゲームの詳細については後述する。
【００４０】
（サテライト抽選装置の構成）
図９は、サテライト抽選装置１０００の主要構成を示す斜視図である。
サテライト抽選装置１０００は、アウタービンゴステージ１１００と、インナービンゴステージ１２００と、ボール供給機構１３００及び１４００と、ボール搬送経路１５００と、ステージボール投入機構１６００と、支持台１７００とを有する。
【００４１】
支持台１７００は、サテライト抽選装置１０００の骨組みとなる構成であり、他の構成を支持する。支持台１７００において、上部中央にはインナービンゴステージ１２００が配設され、このインナービンゴステージ１２００を環囲するようにアウタービンゴステージ１１００が配設されている。さらに、アウタービンゴステージ１１００を環囲するようにボール搬送経路１５００が配設されている。ボール搬送経路１５００の脇には、ボール供給機構１３００及び１４００が設けられている。
【００４２】
ボール供給機構１３００は、ある種のボール、例えば非金属製のボールＢ１を供給するための構成である。一方、ボール供給機構１４００は、ボールＢ１とは異なる種、例えば金属製のボールＢ２を供給するための構成である。なお、ボールＢ１とボールＢ２との違いは、金属であるか非金属であるかに関わらず、他の要因、例えばボールの色により規定されていても良い。
【００４３】
このボール供給機構１３００は、ボール供給部１３０１とリフトアップ部１３０２とボール帰還経路１３０３とを有する。ボール供給部１３０１は、後述するボールキャリア１５２０にボールＢ１を供給するための構成である。リフトアップ部１３０２は、ボールＢ１をボール供給部１３０１までリフトアップするための構成である。ボール帰還経路１３０３は、後述するアウタービンゴステージ１１００に供給されたボールＢ１をボール供給機構１３００におけるリフトアップ部１３０２へ帰還させるための経路となる構成である。
【００４４】
同様に、ボール供給機構１４００は、ボール供給部１４０１とリフトアップ部１４０２とボール帰還経路（図示せず）とを有する。ボール供給部１４０１は、後述するボールキャリア１５２０にボールＢ２を供給するための構成である。リフトアップ部１４０２は、ボールＢ２をボール供給部１４０１までリフトアップするための構成である。図示しないボール帰還経路は、後述するインナービンゴステージ１２００に供給されたボールＢ２を第２ボール供給機構１４００におけるリフトアップ部１４０２へ帰還させるための経路となる構成である。
【００４５】
ボールキャリア１５２０は、環状のボール搬送経路１５００外周に沿ってボールＢ１，Ｂ２を運搬するための構成である。このボールキャリア１５２０は、Ｖ字状に曲がった２つの棒状部材よりなる受部を有し、これにボールＢ１，Ｂ２を保持する。また、ボールキャリア１５２０は、ボール搬送経路１５００に沿って設けられたリング状の部材１５５０に固定されている。したがって、リング状の部材がボール搬送経路１５００に沿って回転することで、ボールキャリア１５２０はボール搬送経路１５００に沿って移動する。
【００４６】
ボール搬送経路１５００は、外周面に複数のセンサ部１５１０を有する。センサ部１５１０は、これの直近にボールキャリア１５２０が存在するか否かを検出するための構成である。センサ部１５１０で検出された情報は、適宜又はリアルタイムに、例えば図示しない制御部へ入力される。この制御部は、センサ部１５１０から送られてきた情報に基づいてボールキャリア１５２０の位置を特定し、これに基づいてボールキャリア１５２０の走行及び停止を制御する。例えば図５に示すステーション部ＳＴへボールＢ１を供給する場合、この制御部は、センサ部１５１０からの情報に基づいて、ボールキャリア１５２０をセンサ部１５１０−１の位置に停止させる。これにより、ボールキャリア１５２０がボール投入スロープ１８０１の延長上に位置される。この状態で、図示しない制御部によりボールキャリア１５２０のＶ字状の受け部をボール投入スロープ１８０１側へ倒されると、ボールキャリア１５２０に保持されていたボールＢ１，Ｂ２がボール投入スロープ１８０１（図５参照）の入口に投入される。なお、センサ部１５１０は、ボール搬送経路１５００の外周面上であって、個々のステーション部ＳＴにおけるボール投入スロープ１８０１が配置される位置並びにボール運搬部走行スロープ１９０１が配置される位置にそれぞれ設けられる。
【００４７】
ボール投入スロープ１８０１に投入されたボールＢ１，Ｂ２は、図５に示すストッパ１８０２によって一時的に保持される。そして、遊技者がボタン１６０を押してその操作信号が制御部６００に送られると、制御部６００は、ストッパ１８０２がボール投入スロープ１８０１の出口側へ倒れるように駆動制御する。これにより、ストッパ１８０２で止められていたボールＢ１，Ｂ２は、そのボール投入スロープ１８０１の傾斜によって転がり落ち、ボール投入位置抽選機構１８１０を介してプレイフィールド５００に投入される。プレイフィールド５００に投入されたボールＢ１，Ｂ２は、プッシャーゲームの進行過程において、メダルＭと同様に、メインテーブル５０１の前端５０１ａからメダル落下溝へ落下する。落下したボールＢ１，Ｂ２は、上述したように、後述するボール搬送経路１０４０を介してボール運搬部１９１０にセットされる。なお、このボール搬送経路１０４０は、ボールＢ１，Ｂ２のみを受け止め、メダルＭを通過させるボール受け部１０４１を有する。また、ボール運搬部１９１０は、通常の状態では、ボール搬送経路１０４０のボール排出口１０４３に待機している。
【００４８】
ボール運搬部１９１０は、上述したようにボールＢ１，Ｂ２をサテライト抽選装置１０００へ運搬するための構成である。ボール運搬部１９１０は、ボールＢ１，Ｂ２がセットされると、図示しない制御部からの制御に基づいてボール運搬部走行スロープ１９０１を駆け上がり、ボール運搬部走行スロープ１９０１の上端に移動する。ボール運搬部走行スロープ１９０１の上端近傍には、ボールキャリア１５２０が待機している。ボール運搬部１９１０は、ボール運搬部走行スロープ１９０１の上端に移動した後、運搬したボールＢ１，Ｂ２をボールキャリア１５２０に渡す。なお、ボールＢ１，Ｂ２が受け渡されたボールキャリア１５２０は、これを保持する姿勢となる。
【００４９】
また、ボールキャリア１５２０は、ボールＢ１，Ｂ２を受け取ると、図示しない制御部からの制御に基づいて、ステージボール投入機構１６００と対向する位置へ移動する。ステージボール投入機構１６００は、ボールＢ１をアウタービンゴステージ１１００へ投入するための受皿１６１０と、ボールＢ２をインナービンゴステージ１２００へ投入するための受皿１６２０とを有する。ボールキャリア１５２０は、上述した図示しない制御部からの制御に基づいて、保持しているボールの種類（Ｂ１，Ｂ２）に従って、受皿１６１０又は１６２０と対向する位置に移動する。受皿１６１０、１６２０はボールキャリア１５２０からボールを受け取る際にはボールキャリア１５２０と対向する位置まで下降し、ボールキャリア１５２０からボールを受け取るとボール投入経路１１１０、１２１０と対向する位置まで上昇する。そしてボール投入タイミングまでボールを保持する。
【００５０】
例えばボール運搬部１９１０からボールＢ１を受け取った場合、ボールキャリア１５２０は、ボール搬送経路１５００に沿って走行後、このボールＢ１をステージボール投入機構１６００における受皿１６１０へ受け渡す。ボールＢ１を受け取った受皿１６１０は、例えば遊技者がボタン１６０を押したタイミングで、保持しているボールＢ１をボール投入経路１１１０へ投入する。投入されたボールＢ１は、ボール投入経路１１１０の傾斜及び長さに応じた加速を得た後、アウタービンゴステージ１１００へ投入される。また、例えばボール運搬部１９１０からボールＢ２を受け取った場合、ボールキャリア１５２０は、ボール搬送経路１５００に沿って走行後、このボールＢ２をステージボール投入機構１６００における受皿１６２０に受け渡す。ボールＢ２を受け取った受皿１６２０は、例えば遊技者がボタン１６０を押したタイミングで、保持しているボールＢ２をボール投入経路１２１０へ投入する。投入されたボールＢ２は、ボール投入経路１２１０の傾斜及び長さに応じた加速を得た後、インナービンゴステージ１２００へ投入される。なお、ボールキャリア１５２０に受け渡されたボールの種類がＢ１であるかＢ２であるかは、例えばボールＢ１を非金属製とし、ボールＢ２を金属製とした場合、金属センサなどボールキャリア１５２０に設けることで検出することができる。また、例えばボールＢ１とボールＢ２とを異なる色とした場合、カラーセンサなどをボールキャリア１５２０に設けることで、受け渡されたボールの種類を検出することができる。また、検出されたボールの種類は、図示しない制御部へ送られる。従って、ボールキャリア１５２０は、この制御部へ通知したボールの種類に基づいて制御される。
【００５１】
アウタービンゴステージ１１００は、ボールＢ１が通過できる程度の径を持つ２つ以上の穴（これを入賞スポット１１０１という。）を有し、所定の周期でインナービンゴステージ１２００の周囲を回転している。本実施形態においては、ビンゴゲームで用いる「１」〜「９」におけるビンゴ数字と、センター抽選装置２０００での抽選開始の権利とがそれぞれ割り当てられた、合計１０個の入賞スポット１１０１が設けられている。アウタービンゴステージ１１００に投入されたボールＢ１は、ボール投入経路１１１０において得た加速及びアウタービンゴステージ１１００自体の回転によりアウタービンゴステージ１１００を周回した後、何れかの入賞スポット１１０１へ入る。どの入賞スポット１１０１にボールＢ１が入ったかの情報は、適宜、図示しない制御部へ送られる。この制御部は、ビンゴ数字が割り当てられたいずれかの入賞スポット１１０１にボールＢ１が入ると、そのボールＢ１の運搬元であるステーション部ＳＴの制御部６００等と協働して、当該入賞スポット１１０１に割り当てられたビンゴ数字を当選ビンゴ数字とし、ビンゴゲームを進行する。なお、入賞スポット１１０１に入ったボールＢ１は、遊技者が確認できるように、一時、入賞スポット１１０１の入口に保持された後、アウタービンゴステージ１１００下方に設けられたボール帰還経路１３０３に投入される。
【００５２】
同様に、インナービンゴステージ１２００は、ボールＢ２が通過できる程度の径を持つ１つ以上の入賞スポット１２０１を有し、その中心部分を回転中心として所定の周期で回転している。本実施形態においては、ビンゴゲームで用いる「１」〜「８」におけるビンゴ数字がそれぞれ２つずつ割り当てられた４つの入賞スポット１２０１と、センター抽選装置２０００での抽選開始の権利が割り当てられた１つの入賞スポット１２０１の合計５個の入賞スポット１２０１が設けられている。インナービンゴステージ１２００に投入されたボールＢ２は、ボール投入経路１２１０において得た加速及びインナービンゴステージ１２００自体の回転によりインナービンゴステージ１２００を周回した後、何れかの入賞スポット１２０１へ入る。どの入賞スポット１２０１にボールＢ２が入ったかの情報は、適宜、図示しない制御部へ送られる。この制御部は、ビンゴ数字が割り当てられたいずれかの入賞スポット１２０１にボールＢ２が入ると、そのボールＢ２の運搬元であるステーション部ＳＴの制御部６００等と協働して、当該入賞スポット１２０１に割り当てられたビンゴ数字を当選ビンゴ数字とし、ビンゴゲームを進行する。なお、入賞スポット１２０１に入ったボールＢ２は、遊技者が確認できるように、一時、入賞スポット１２０１の入口に保持された後、インナービンゴステージ１２００下方に設けられた図示しないボール帰還経路に投入される。
【００５３】
また、アウタービンゴステージ１１００又はインナービンゴステージ１２００において、ボールＢ１，Ｂ２がセンター抽選装置２０００での抽選開始の権利が割り当てられた入賞スポット１１０１，１２０１に入ると、サテライト抽選装置１０００の図示しない制御部は、後述するセンター抽選装置２０００の図示しない制御部に、ジャックポット抽選の開始命令を出力する。このセンター抽選装置２０００でのジャックポット抽選についての詳細は後述する。
【００５４】
（プレイフィールドの構成）
図１０は、プレイフィールド５００及びその周辺部の構成を抽出した部分斜視図である。
図１１（ａ）及び（ｂ）は、プレイフィールド５００におけるプッシャー部５１０の往復運動を説明するための説明図である。
上述したように、プレイフィールド５００は、メダル載置台であるメインテーブル５０１と、メインテーブル５０１上に摺動可能に載置されたメダル押出部材であるプッシャー部５１０とから構成される。プッシャー部５１０は、表示部７００のディスプレイ７０１下方に設けられた収納部７２０を出入するように、メインテーブル５０１上を前後にスライド運動する。なお、図１１（ａ）はプッシャー部５１０が収納部７２０内に最も退避した際の上視図であり、図１１（ｂ）はプッシャー部５１０が収納部７２０から最も突出した際の上視図である。
【００５５】
プッシャー部５１０の上面であるサブテーブル５１１には、上述したように、表示部７００の枠部材７１０が当接されている。したがって、プッシャー部５１０の上面であるサブテーブル５１１上に貯留されたメダルＭは、プッシャー部５１０が収納部７２０へ入る方向へ移動した際（図１１において（ｂ）→（ａ）参照）に、枠部材７１０によりサブテーブル５１１上を傾斜テーブル５１２方向へ押進され、サブテーブル５１１上のメダルＭが全体として傾斜テーブル５１２へ向かう方向へ流れる。この結果、傾斜テーブル５１２近傍に存在したサブテーブル５１１上の一部のメダルＭが傾斜テーブル５１２へ落下する。なお、落下したメダルＭのうちの一部のメダルＭは傾斜テーブル５１２に設けられたチャッカー５１５−１，５１５−２，５１５−３の何れかに進入し、残りはメインテーブル５０１まで落下する。また、プッシャー部５１０がスライドする範囲の両サイドには、落下防止壁５２１が設けられており、サブテーブル５１１のサイドからメダルＭが落下することが防止されている。
【００５６】
また、プッシャー部５１０は、メインテーブル５０１上に隙間無く載置されている。なお、ここでいう「隙間無く」とは、メダルＭの幅以上の隙間が存在しないことをいう。したがって、メインテーブル５０１上に貯留されたメダルＭは、プッシャー部５１０が収納部７２０から出る方向へ移動した際（図１１において（ａ）→（ｂ）参照）に、プッシャー部５１０の前面の押進壁５１３によりメインテーブル５０１上を前端５０１ａ方向へ押進され、メインテーブル５０１上のメダルＭが全体として前端５０１ａへ向かう方向へ流れる。この結果、前端５０１ａ近傍に存在したメインテーブル５０１上の一部のメダルＭが前端５０１ａからメダル落下溝へ落下する。また、この際のメダルＭの流れにより、メインテーブル５０１の両脇の端（サイド端５０１ｂ）近傍に存在したメインテーブル５０１上の一部のメダルＭが、サイド端５０１ｂから落下することがある。なお、サイド端５０１ｂから落下したメダルＭは、ステーション部ＳＴ内部の所定の貯留部（ホッパであってもよい）に貯留される。
【００５７】
また、前端５０１ａから落下したメダルＭは、図１０に示すように、前端５０１ａの下方すなわちメダル落下溝内に設けられたメダル受け１００１に受け止められる。メダル受け１００１は、メダル払出機構におけるリフトアップホッパ１０２０までメダルＭを搬送するためのメダル搬送経路１００２に繋がっている。また、メダル受け１００１はメダル搬送経路１００２との連結部分に向けて傾斜している。そのため、メダル受け１００１に受け止められたメダルＭはメダル搬送経路１００２へ流れ込む。また、メダル搬送経路１００２はメダル払出機構のリフトアップホッパ１０２０における貯留部１０２１へ向けて傾斜している。このため、メダル搬送経路１００２に流れ込んだメダルＭは、連続してメダル払出機構へ導かれる。なお、メダル受け１００１とメダル搬送経路１００２との連結部分には、後述するボールＢ１，Ｂ２を塞き止めるための分別棒１０１０が設けられており、ボールＢ１，Ｂ２がメダル払出機構へ進入しないように構成されている。
【００５８】
メダル払出機構には、上述したリフトアップホッパ１０２０とメダル払出部１０３０との他に、メダルＭの枚数をカウントするためのメダルカウンタ（図示せず）も設けられている。このメダルカウンタは、例えばリフトアップホッパ１０２０における貯留部１０２１の入り口に設けられており、メダル搬送経路１００２から貯留部１０２１へ投入されるメダルＭの枚数をカウントする。メダルカウンタによりカウントされたメダルＭの枚数は、図６における制御部６００へ通知される。制御部６００は、通知されたメダルの枚数に基づいてリフトアップホッパ１０２０を駆動することで、この枚数分のメダルＭをメダル払出部１０３０からメダル投入機構１００における貯留部１０１へ払い出す。なお、リフトアップホッパ１０２０は、ホッパ駆動部１０２２とリフトアップ部１０２３とを有し、制御部６００からの制御に基づいて、ホッパ駆動部１０２２が動作することで、払い出すメダルＭがリフトアップ部１０２３の端部に設けられたメダル払出部１０３０から払い出される。なお、メダル受け１００１及びメダル搬送経路１００２、並びに、リフトアップホッパ１０２０とメダル払出部１０３０とメダルカウンタとを含むメダル払出機構は、メインテーブル５０１における前端５０１ａからメダル落下溝へ落下したメダルＭを遊技者へ払い出す払出手段として機能する。
【００５９】
また、メインテーブル５０１上には、サテライト抽選装置１０００のボールキャリア１５２０から供給されたボールＢ１，Ｂ２も存在する。このボールＢ１，Ｂ２は、プッシャー部５１０の往復運動によるメダルＭの流れに伴って、メインテーブル５０１上を移動した後、前端５０１ａからメダル落下溝へ落下する。前端５０１ａの下方すなわちメダル落下溝内には、上述したように、ボール搬送経路１０４０が設けられている。このボール搬送経路１０４０は、落下したボールＢ１，Ｂ２のみを受け止め、メダルＭを通過させるボール受け部１０４１と、ボール受け部１０４１で受け止めたボールを所定条件が満足するまで止めておくボール停止部１０４２と、ボール排出口１０４３とを有する。したがって、ボール受け部１０４１で受け止められたボールＢ１，Ｂ２は、ボール停止部１０４２により所定のタイミングまで止められた後、ボール排出口１０４３から排出される。これにより、ボールＢ１，Ｂ２がボール排出口１０４３に待機していたボール運搬部１９１０（図５参照）にセットされる。なお、図５におけるステーション部ＳＴと図６又は図１０におけるステーション部ＳＴとは、説明の都合上、左右が反転されているが、構成は同様である。
【００６０】
また、メインテーブル５０１には、図１０に示すように、メダルＭ並びにボールＢ１及びＢ２の流れを制御するためのガイド部５３０Ｒ，５３０Ｌが設けられている。また、メインテーブル５０１の下方には、このガイド部５３０Ｒ，５３０Ｌをメインテーブル５０１に対して上下動させるためのガイド部移動機構５４０が設けられている。ガイド部５３０Ｒ，５３０Ｌは、それぞれ、ボールＢ１，Ｂ２の流れを制御するためのボールガイド板５３１と、メダルＭの流れを制御するためのメダルガイド板５３３と、ボールガイド板５３１及びメダルガイド板５３３を支持するための支持部５３４とを有する。また、ボールガイド板５３１及びメダルガイド板５３３は、これらの間に所定形状の通過口５３２が形成されるように、支持部５３４により上下に支持される。
【００６１】
ガイド部５３０Ｒ，５３０Ｌを下限の位置まで移動させた場合、ガイド部５３０Ｒ，５３０Ｌにおけるメダルガイド板５３３の上端はメインテーブル５０１の上面と同じか若しくはそれ以下に位置する。すなわち、ガイド部５３０Ｒ，５３０Ｌを下限位置まで移動させた場合、メダルガイド板５３３はメインテーブル５０１の下方に収納される。ただし、この場合でも、メダルガイド板５３３とボールガイド板５３１との間の通過口５３２全体が塞がれることはない。このようにメダルガイド板５３３がメインテーブル５０１の下方へ退避した状態では、メダルガイド板５３３によってメインテーブル５０１上のメダルＭの流れが妨げられないため、メダルＭが通過口５３２を通過して自由な方向へ流れることができる。すなわち、メダルＭはメインテーブル５０１のサイド端５０１ｂ側へ流れることができる。この結果、サイド端５０１ｂから落下するメダルＭが、例えばガイド部５３０Ｒ，５３０Ｌを上限の位置まで移動させた場合と比較して多く存在することとなる。ただし、支持部５３４によるメダルＭの流れの妨げは、説明の簡略化のため無視する。また、ガイド部５３０Ｒ，５３０Ｌを下限位置まで移動させた場合でも、ボールガイド板５３１はメインテーブル５０１上に突出するので、ボールＢ１，Ｂ２はボールガイド板５３１により流れが制限される。すなわち、ボールＢ１及びＢ２は、メインテーブル５０１のサイド端５０１ｂから落下しないように、前端５０１ａの方向へ導かれる。
【００６２】
一方、ガイド部５３０Ｒ，５３０Ｌを上限の位置まで移動させた場合、ガイド部５３０Ｒ，５３０Ｌにおけるメダルガイド板５３３の上端は、メインテーブル５０１の上に突出するこのような状態では、メダルガイド板５３３によってメインテーブル５０１上のメダルＭの流れが妨げられるため、メダルＭの流れる方向が前端５０１ａの方向へ制限される。この結果、サイド端５０１ｂから落下するメダルＭを、例えばガイド部５３０Ｒ，５３０Ｌを下限の位置まで移動させた場合と比較して少なくすることができる。ただし、支持部５３４によるメダルＭの流れの妨げは、説明の簡略化のため無視する。また、ガイド部５３０Ｒ，５３０Ｌを上限位置まで移動させた場合でも、ボールガイド板５３１はメインテーブル５０１上に突出しているため、ボールＢ１，Ｂ２はボールガイド板５３１により流れが制限される。すなわち、ボールＢ１及びＢ２は、メインテーブル５０１のサイド端５０１ｂから落下しないように、前端５０１ａの方向へ導かれる。
【００６３】
このように、本実施形態では、ガイド部５３０Ｒ，５３０Ｌを下限位置まで移動させることで、言い換えれば、ガイド部５３０Ｒ，５３０Ｌのメダルガイド板５３３をメインテーブル５０１下に収納することで、ボールＢ１の流れを前端５０１ａの方向へ制限しつつ、メダルＭの流れる方向を比較的自由にすることができる。この結果、メインテーブル５０１から落下するメダルＭのうち、サイド端５０１ｂから落下するメダルＭの比率を多くすることが可能となる。一方、ガイド部５３０Ｒ，５３０Ｌを上限位置まで移動させることで、言い換えれば、ガイド部５３０Ｒ，５３０Ｌのメダルガイド板５３３をメインテーブル５０１上に突出させることで、ボールＢ１の流れと共に、メダルＭの流れを前端５０１ａの方向へ制限することができる。この結果、メダルＭの流れを前端５０１ａ方向へ集中させることができ、多くのメダルＭを前端５０１ａから落下させることができると共に、サイド端５０１ｂから落下するメダルＭの比率を少なくすることが可能となる。
【００６４】
（メダル投入機構の構成）
図１２は、本実施形態におけるメダル投入機構１００を示す斜視図である。
図１３は、このメダル投入機構１００の正面図である。
図１４は、このメダル投入機構１００の上面図である。
図１５は、このメダル投入機構１００の正面透視図である。
【００６５】
メダル投入機構１００は、水平領域２１と、水平領域２１の両側に位置する第１の傾斜領域２２及び第２の傾斜領域２３と、第１の傾斜領域２２の外側に位置する第１の側部構造体１１７と、第２の傾斜領域２３の外側に位置する第２の側部構造体１１８とを含む。また、メダル投入機構１００は、複数のメダルを貯留する貯留部１０１を含む。貯留部１０１は、メダル投入機構１００の水平領域２１を構成する。
【００６６】
メダル投入機構１００は、更に、貯留部１０１の第１側部に接する第１の境界領域１０２から連続的に上方向に傾斜しながら延在する第１の傾斜壁を含む。第１の傾斜壁は、第１の傾斜領域２２を形成する。この第１の傾斜壁は、第１の傾斜壁下部領域１０４と第１の傾斜壁上部領域１０６とで構成される。第１の境界領域１０２は、曲面で構成される。
【００６７】
メダル投入機構１００は、更に、上述の第１の側部と反対側に位置する貯留部１０１の第２側部に接する第２の境界領域１０３から連続的に上方向に傾斜しながら延在する第２の傾斜壁を含む。第２の傾斜壁は、第２の傾斜領域２３を形成する。この第２の傾斜壁は、第２の傾斜壁下部領域１０５と第２の傾斜壁上部領域１０７とで構成される。第２の境界領域１０３は、曲面で構成される。
【００６８】
メダル投入機構１００は、更に、第１の傾斜壁に近接する位置に第１のメダル投入口１０８―１を有する第１のメダル投入部１０８と、第２の傾斜壁に近接する位置に第２のメダル投入口１０９―１を有する第２のメダル投入部１０９とを有する。第１の境界領域１０２と、第１の傾斜壁下部領域１０４と、第１の傾斜壁上部領域１０６と、第１のメダル投入部１０８とは、メダル投入機構１００の第１の傾斜領域２２を形成する。第２の境界領域１０３と、第２の傾斜壁下部領域１０５と、第２の傾斜壁上部領域１０７と、第２のメダル投入部１０９とは、メダル投入機構１００の第２の傾斜領域２３を形成する。
【００６９】
第１のメダル投入部１０８は、更に、第１の取り付けフランジ１１０を有し、この第１の取り付けフランジ１１０は、第１の境界領域１０２の一部から貯留部１０１の一部にかけて延在する。第２のメダル投入部１０９は、更に、第２の取り付けフランジ１１１を有し、この第２の取り付けフランジ１１１は、第２の境界領域１０３の一部から貯留部１０１の一部にかけて延在する。貯留部１０１上に延在する第１の取り付けフランジ１１０と第２の取り付けフランジ１１１とは、図１４に示すように、大きくラウンドされた角部を有する。第１の取り付けフランジ１１０と第２の取り付けフランジ１１１とは、メダルＭを貯留すするメダル貯留領域を貯留部１０１上に画定する。第１の取り付けフランジ１１０と第２の取り付けフランジ１１１とは、互いに離間しており、２つのフランジ１１０，１１１間のメダル供給側１１９からメダルＭが供給される。供給されたメダルＭは、第１の取り付けフランジ１１０と第２の取り付けフランジ１１１との大きくラウンドされた角部に拘束される。貯留部１０１のメダル供給側１１９と反対側の側部には、貯留部１０１からプレイヤのいる手前側に供給されたメダルＭがこぼれ落ちるのを防止するための第１のメダル拘束プレート１１２が設けられる。
【００７０】
第１の傾斜壁下部領域１０４と第１の傾斜壁上部領域１０６との境界には、第１のガイド部１１３が形成される。第１のガイド部１１３は、第１の傾斜壁上部領域１０６を滑り落ちるメダルを係止し、第１のガイド部に沿って第１のメダル投入口１０８―１へスライド転入させるように構成する。第１のガイド部１１３は、第１の傾斜壁下部領域１０４と第１の傾斜壁上部領域１０６との境界に形成された第１の段差１１３で構成する。第１の段差１１３は、第１のメダル投入口１０８―１へ向かって直線的に下降しながら延在する。第１の傾斜壁上部領域１０６は、第１のガイド部１１３に沿ってスライド転入するメダルＭとの摩擦を低減するよう形成された少なくとも１つの突部を有する。すなわち、第１の傾斜壁上部領域１０６は、第１のガイド部１１３からメダルＭの直径より小さい距離だけ上方に離間して、第１のガイド部１１３の延在する方向と概ね平行に延在する少なくとも１つの稜線形状突部１１５を有する。具体的には、図示されるように、複数の稜線形状突部１１５を形成する。
【００７１】
第２の傾斜壁下部領域１０５と第２の傾斜壁上部領域１０７との境界には、第２のガイド部１１４が形成される。第２のガイド部１１４は、第２の傾斜壁上部領域１０７を滑り落ちるメダルを係止し、第２のガイド部に沿って第２のメダル投入口１０９―１へスライド転入させるよう構成する。第２のガイド部１１４は、第２の傾斜壁下部領域１０５と第２の傾斜壁上部領域１０７との境界に形成された第２の段差１１４で構成する。第２の段差１１４は、第２のメダル投入口１０９―１へ向かって直線的に下降しながら延在する。第２の傾斜壁上部領域１０７は、第２のガイド部１１４に沿ってスライド転入するメダルＭとの摩擦を低減するよう形成された少なくとも１つの突部を有する。すなわち、第２の傾斜壁上部領域１０７は、第２のガイド部１１４からメダルＭの直径より小さい距離だけ上方に離間して、第２のガイド部１１４の延在する方向と概ね平行に延在する少なくとも１つの稜線形状突部１１６を有する。具体的には、図示されるように、複数の稜線形状突部１１６を形成する。
【００７２】
第１の傾斜壁上部領域１０６の外側上端部は、第１の側部構造体１１７と結合している。第１の側部構造体１１７は、変形Ｌ字断面形状を有し、水平上部、垂直壁部及び水平下部からなる。水平上部は第１の傾斜壁上部領域１０６の外側上端部から連続的に外側に向かって延在する。垂直壁部は、水平上部の外側端部から垂直下向きに延在する。水平下部は、垂直壁部の下端部から内側に向かって延在する。水平上部には、メダル排出経路４００の排出端部の位置及び向きを制御するための制御システムにおける操作ハンドルが取り付けられ、遊技者は、この操作ハンドルを操作してメダル排出経路４００の排出端部の位置及び向きを制御する。水平下部は、メダル投入機構１００を、ステーション部ＳＴの筐体８００に取り付けるための取り付けフランジの役目を果たす。
【００７３】
第２の傾斜壁上部領域１０７の外側上端部は、第２の側部構造体１１８と結合している。第２の側部構造体１１８は、変形Ｌ字断面形状を有し、水平上部、垂直壁部、及び水平下部からなる。水平上部は第２の傾斜壁上部領域１０７の外側上端部から連続的に外側に向かって延在する。垂直壁部は、水平上部の外側端部から垂直下向きに延在する。水平下部は、垂直壁部の下端部から内側に向かって延在する。水平上部には、メダル排出経路４００の排出端部の位置及び向きを制御するための制御システムにおける操作ハンドルが取り付けられ、遊技者は、この操作ハンドルを操作してメダル排出経路４００の排出端部の位置及び向きを制御する。水平下部は、メダル投入機構１００を、ステーション部ＳＴの筐体８００に取り付けるための取り付けフランジの役目を果たす。
【００７４】
貯留部１０１、第１の境界領域１０２、第２の境界領域１０３、第１の傾斜壁下部領域１０４、第２の傾斜壁下部領域１０５、第１の傾斜壁上部領域１０６及び第２の傾斜壁上部領域１０７は、同一部材で構成すれば、メダルＭが可動する領域にはつなぎ目が無くなり抵抗を減らすことが可能となる。
【００７５】
また、第１のメダル投入部１０８の第１のメダル投入口１０８―１及び第２のメダル投入部１０９の第２のメダル投入口１０９―１は、メダルＭが１枚だけ入ることが可能な寸法を有する。複数のメダルＭが同時に第１のメダル投入口１０８―１又は第２のメダル投入口１０９―１に入った場合、第１のメダル投入部１０８又は第２のメダル投入部１０９にメダルＭが詰まってしまうことを確実に防止するためである。
【００７６】
上述したメダル投入機構１００は、第１及び第２の側部の中間位置を基準にして概ね対称的な形状及び構造を有する。
【００７７】
図１６は、メダル投入機構１００の部分分解図である。
第１のメダル投入部１０８と第２のメダル投入部１０９とは同一構造なので、以下、第２のメダル投入部１０９を例に挙げてその内部構造を説明する。
第２のメダル投入部１０９は、第２のガイド部１１４すなわち第２の段差部１１４の終端部に近接する第２のメダル投入口１０９―１と、第２の段差部１１４の終端部と連通するメダル投入経路１０９−７と、メダル投入経路１０９−７と連通するメダル落下孔１０９−８と、メダル投入経路１０９−７と該メダル投入経路１０９−７との各々の両側部を画定する第１のメダルガイドプレート１０９−５及び第２のメダルガイドプレート１０９−６とを有する。メダル投入経路１０９−７は、第２のメダル投入口１０９―１を介して投入されたメダルＭをメダル落下孔１０９−８まで導くように形成される。
【００７８】
更に、第２のメダル投入部１０９は、第１のローラー１０９−４を有する第１の中間プレート１０９−３を有する。第１の中間プレート１０９−３は、第１のメダルガイドプレート１０９−５及び第２のメダルガイドプレート１０９−６に取り付けられる。第１のローラー１０９−４は、メダル落下孔１０９−８上に位置することで、メダル投入経路１０９−７を通過したメダルＭが、メダル落下孔１０９−８上にさしかかった際、第１のローラー１０９−４に当接し、メダルＭが僅かに押し下げられ、メダル落下孔１０９−８から落下する。落下したメダルＭは、図６に示すメダル搬送経路２００を介してリフトアップホッパ３００まで搬送される。そして、メダルＭは、リフトアップホッパ３００によりメダル排出経路４００の供給端までリフトアップされ、メダル排出経路４００を介して排出端からプレイフィールド５００上へ供給される。第２のメダル投入部１０９は、更に、第１のメダル投入部カバー１０９−２を有する。第１のメダル投入部カバー１０９−２は、第１の中間プレート１０９−３を覆う。また、第１のメダル投入部カバー１０９−２は、第２の取り付けフランジ１１１と一体的に形成され、第２の取り付けフランジ１１１が貯留部１０１に固定されることで、間接的に、第１の中間プレート１０９−３に対してその位置が固定される。
【００７９】
遊技者は、貯留部１０１に貯留しているメダルＭを、貯留部１０１から連続的に上方向に傾斜しながら延在する第１の傾斜壁下部領域１０４と第１の傾斜壁上部領域１０６、及び第２の傾斜壁下部領域１０５と第２の傾斜壁上部領域１０７に滑り上がらせて、メダルＭから手を離すと、重力によりメダルＭが第１の傾斜壁上部領域１０６及び第２の傾斜壁上部領域１０７を滑り落ち、第１のガイド部１１３を構成する第１の段差部１１３と第２のガイド部１１４を構成する第２の段差部１１４とに係止される。そして、第１の段差部１１３と第２の段差部１１４とは、メダルＭを重力により第１のメダル投入口１０８―１及び第２のメダル投入口１０９―１へスライド転入させるよう構成される。
【００８０】
すなわち、遊技者は、貯留部１０１から連続的に上方向に傾斜しながら延在する第１の傾斜壁下部領域１０４と第１の傾斜壁上部領域１０６、及び第２の傾斜壁下部領域１０５と第２の傾斜壁上部領域１０７にメダルＭを滑り上がらせて、後は、そのメダルＭから手を離せば重力によりメダルＭが第１の傾斜壁上部領域１０６及び第２の傾斜壁上部領域１０７を滑り落ち、第１の段差部１１３と第２の段差部１１４とに係止され、その後、メダルＭは、第１の段差部１１３と第２の段差部１１４とに沿って第１の投入部の第１のメダル投入口１０８―１及び第２のメダル投入口１０９―１まで重力によりスライド転入する。メダルＭが第１の段差部１１３と第２の段差部１１４とに沿って転がると、そのメダルＭは、第１の傾斜壁上部領域１０６及び第２の傾斜壁上部領域１０７に対してスライドすることになる。すなわち、遊技者は、メダルＭを貯留部１０１から第１の傾斜壁下部領域１０４と第１の傾斜壁上部領域１０６、及び第２の傾斜壁下部領域１０５と第２の傾斜壁上部領域１０７に沿って滑り上がらせて手を離せばよく、メダルＭをメダル投入口まで手で持って運びそのメダル投入口へ入れるという従来の作業に比べて、遊技者の手の動き楽にしている。このため、遊技者が連続して長時間メダルＭを投入し続けても、遊技者が感じる疲れを大幅に低減することが可能となる。また、メダルＭの投入に殆ど神経を使わないため、ゲームそのものに集中することが出来、ゲームを十分楽しむことが出来る。また、メダルＭの投入を完全に自動化せずに遊技者の投入作業を楽にしただけであるから、遊技者は、ゲームをしている実感を持ちながら連続して長時間プレイすることが可能となる。
【００８１】
（センター抽選装置の構成）
次に、本発明の特徴部分である、センター抽選装置２０００の構成について説明する。
図１は、センター抽選装置２０００の構成を示す斜視図である。
図２は、センター抽選装置２０００の構成を示す正面図である。
センター抽選装置２０００は、主に、大型円盤状の回転搬送装置２１００と、回転搬送装置２１００を鉛直方向下側から支持する装置支持台２２００と、ディスプレイ装置２３００と、大型抽選ボール２４００を投入する大型ボール投入機構２５００と、大型ボール投入機構２５００から投入された大型抽選ボール２４００を回転搬送装置２１００へ搬送する搬送スロープ２６００とから構成されている。
【００８２】
回転搬送装置２１００は、装置支持台２２００に設けられた図示しない駆動装置によって図中反時計回り方向へ回転駆動する。この駆動装置により、回転搬送装置２１００は、本プッシャーゲーム機１の電源が入ってから常に一定の周期で回転する。回転搬送装置２１００の外周領域には、大型抽選ボール２４００が約１個分だけ収容可能な内部スペースを有する保持空間Ｆがその外周方向に沿って複数形成されている。本実施形態では、回転搬送装置２１００の外周領域に２０個の保持空間Ｆが均等間隔で設けられている。各保持空間Ｆは、回転搬送装置２１００の回転により、回転搬送装置２１００の外周に沿って周回移動する。本実施形態の回転搬送装置２１００は、その回転軸が鉛直方向に対しても水平方向に対しても傾斜している。よって、各保持空間Ｆは、鉛直面に対しても水平面に対しても傾斜した仮想平面に沿って周回移動する。
【００８３】
回転搬送装置２１００の図中左側のサイドには、大型ボール投入機構２５００が設けられている。この大型ボール投入機構２５００は、主に、大型抽選ボール２４００を受け取るボール回収口２５１０と、ボール回収口２５１０から受け取った大型抽選ボール２４００を保持するボール保持部２５２０と、ケース２５３０とから構成されている。ボール回収口２５１０に入り込んだ大型抽選ボール２４００は、ケース２５３０の内部を通って自重によりボール保持部２５２０へ搬送され、ボール保持部２５２０のボールストッパ２５２１によって止められる。このボールストッパ２５２１は、図示しないセンター抽選装置２０００の制御部の制御に応じて、大型抽選ボール２４００を止めるボール保持位置と大型抽選ボール２４００を解放するボール解放位置との間で駆動する。なお、図１は、ボールストッパ２５２１がボール保持位置に位置決めされて、大型抽選ボール２４００がボール保持部２５２０に保持されている状態を示している。本実施形態において、主としてボール保持部２５２０とボールストッパ２５２１とによって、導入機構が構成されている。
【００８４】
ボールストッパ２５２１がボール保持位置からボール解放位置へ移動し、ボール保持部２５２０の保持状態が解除されると、ボール保持部２５２０に保持されていた大型抽選ボール２４００が自重により案内機構としての搬送スロープ２６００へと転がり込む。これにより、図２に示すように、大型抽選ボール２４００はその搬送スロープ２６００上を自重により転がり、その搬送スロープ２６００の傾斜面であるスロープ面（上面）上でその最下点を中心に振り子のように移動する。この搬送スロープ２６００は、回転搬送装置２１００の各保持空間Ｆが周回移動する保持空間移動経路の最下点部分に隣接する位置に大型抽選ボール２４００が存在するときにその大型抽選ボール２４００が載ることになる箇所を最下点としたスロープ面（傾斜面）を有し、そのスロープ面を用いて大型抽選ボール２４００をいずれかの保持空間Ｆの抽選口へ案内するものである。このスロープ面は、上記保持空間移動経路の最下点部分に存在する保持空間Ｆminを含む１又は２以上の保持空間Ｆに対して大型抽選ボール２４００が隣接して移動し得るように形成されている。本実施形態では、上記保持空間移動経路のちょうど最下点に保持空間Ｆminが存在するときにこれに隣接する２つの保持空間Ｆを含めた合計３つの保持空間Ｆに対して大型抽選ボール２４００が隣接して移動し得るように形成されている。
【００８５】
具体的には、搬送スロープ２６００の保持空間移動経路側には、最下点を中心に保持空間３個分の進入スペースを空けてこのスペース両側に進入防止柵２６０１，２６０２が設けられている。この進入防止柵２６０１，２６０２により、スロープ面上の大型抽選ボール２４００はその進入防止柵２６０１，２６０２を越えて回転搬送装置２１００の保持空間移動経路側へ移動することが阻止される。また、少なくとも進入スペースに対向したスロープ面部分は、回転搬送装置２１００の保持空間移動経路側へ傾斜するように構成されている。よって、大型ボール投入機構２５００から投入された大型抽選ボール２４００は、搬送スロープ２６００上をその最下点を中心に振り子運動しつつ徐々に移動速度が遅くなり、最終的には、上記スロープ面部分における保持空間移動経路側へ傾斜によって自重により上記進入スペースから回転搬送装置２１００の保持空間移動経路側へ移動する。このとき、大型抽選ボール２４００は、回転搬送装置２１００の回転によって周回移動している保持空間Ｆのうち上記進入スペースに対向する位置に存在する保持空間Ｆの抽選口に進入する。
【００８６】
本実施形態では、搬送スロープ２６００の最下点が回転搬送装置２１００側へ最も傾斜するように構成されており、搬送スロープ２６００の最下点に近いほど大型抽選ボール２４００が回転搬送装置２１００の保持空間Ｆ内に入りやすくなっている。また、搬送スロープ２６００には、搬送スロープ２６００上の大型抽選ボールが保持空間移動経路側とは反対側（図中正面側）に落下しないように、搬送スロープ２６００の当該反対側の端部全域にわたってガイド柵２６０３も設けられている。
【００８７】
回転搬送装置２１００の各保持空間Ｆの内部には、図１に示すように、その保持空間Ｆに大型抽選ボール２４００が入り込んだことを検知するためのボールセンサ２１０１が設けられている。各ボールセンサ２１０１はセンター抽選装置２０００の図示しない制御部に接続されており、その検知信号が制御部に送られるようになっている。これにより、センター抽選装置２０００の制御部は、どの保持空間Ｆに大型抽選ボール２４００が入ったかを把握することができる。
【００８８】
搬送スロープ２６００上の大型抽選ボール２４００がいずれかの保持空間Ｆに保持されると、その大型抽選ボールは保持空間Ｆの周回移動により保持空間移動経路に沿って図中反時計回り方向へ回転搬送される。すなわち、保持空間Ｆに保持された大型抽選ボール２４００は、ボール保持部２５２０に向かう方向へ回転搬送される。
なお、本実施形態では、大型ボール投入機構２５００を１つだけ備えた構成について説明するが、大型ボール投入機構２５００を２つ以上設けてもよい。例えば回転搬送装置２１００を挟んで大型ボール投入機構２５００を２つ設けた場合、保持空間Ｆに大型抽選ボール２５００が入ったときに回転搬送装置２１００の回転駆動を一時停止し、その後、その大型抽選ボール２４００を投入した大型ボール投入機構のボール保持部側に向かう方向へ回転搬送するようにする。このような構成とすれば、保持空間Ｆ内の大型抽選ボール２４００をその自重のみによってボール回収口２５１０へ移動させる後述するような移動機構を採用しても、各大型ボール投入機構のボール保持部から投入された大型抽選ボール２４００を、それぞれ元のボール保持部へ戻すことができる。
【００８９】
ここで、大型ボール投入機構２５００のボール回収口２５１０は、保持空間移動経路に隣接しており、ボール保持部２５２０よりも鉛直方向上方に配置されている。このボール回収口２５１０が配置されている回収箇所は、保持空間移動経路の最下点から回転搬送装置２１００の回転方向へ１８０°よりも小さい範囲内に設けられている。これにより、大型抽選ボール２４００が保持空間Ｆに入り込んでから約１８０°回転搬送される前に、その大型抽選ボール２４００を回収することができる。１８０°を越えて回転搬送するようにすると、保持空間移動経路の最下点付近で大型抽選ボール２４００が保持空間Ｆに進入してジャックポット抽選の結果が出た時点から、これを回収して次の抽選を行うまでに不必要に時間をかけることになる。すなわち、大型抽選ボール２４００が保持空間Ｆに入り込んでからの回転搬送中は、ジャックポット抽選の演出としての効果も期待できるので、抽選結果が出てからもある程度は大型抽選ボール２４００の回転搬送を行うことは有益である。しかし、回転搬送による演出をあまり長い期間行うと、その回転搬送による演出効果が薄まるし、その大型抽選ボール２４００を用いた次の抽選を待たせる結果を招き、好ましくない場合がある。よって、本実施形態では、大型抽選ボール２４００が保持空間Ｆに入り込んでから約１８０°回転搬送される前に、その大型抽選ボール２４００を回収するようにしている。一方で、大型抽選ボール２４００が保持空間Ｆに入り込んでから即座に回収すると、回転搬送による演出効果が十分に得られないため、例えば９０°以上は大型抽選ボール２４００を回転搬送することが好ましい。
【００９０】
また、本実施形態においては、大型抽選ボール２４００を保持した保持空間Ｆが回収箇所まで回転移動してボール回収口２５１０と対向したとき、保持空間Ｆ内の大型抽選ボール２４００を、その自重のみによってボール回収口２５１０へ移動させる移動機構が設けられている。以下、この移動機構の構成について説明する。
【００９１】
図３は、回転搬送装置２１００の一部を示す説明図である。
本実施形態の回転搬送装置２１００は、図１に示すように、固定配置されるドーナツ状底板２１１０と、このドーナツ状底板２１１０上に配置されて周回移動する回転部材２１２０とを備えている。回転部材２１２０は、図示しない駆動機構の駆動力によりドーナツ状底板２１１０上を周回移動する。この回転部材２１２０は、ドーナツ状基部２１２１と、このドーナツ状基部２１２１の外周面上に放射状に配置される２０個の仕切部材２１２１とから構成されている。本実施形態においては、主として、ドーナツ状基部２１２１の外周面と、互いに隣接する２つの仕切部材２１２１の各対向面と、ドーナツ状底板２１１０の上面とに囲まれた領域が、それぞれ保持空間Ｆとなる。したがって、回転部材２１２０が周回移動すると、ドーナツ状底板２１１０の上面上を保持空間Ｆが移動することになる。
【００９２】
また、ドーナツ状底板２１１０には、図３に示すように切欠部２１１１が形成されている。この切欠部２１１１の下方には、大型ボール投入機構２５００のボール回収口２５１０が位置決めされている。よって、回転部材２１２０の周回移動により保持空間Ｆが移動し、大型抽選ボール２４００を保持した保持空間Ｆが当該切欠部２１１１との対向位置まで到達すると、その大型抽選ボール２４００が切欠部２１１１から自重のみによって落下し、ボール回収口２５１０からケース２５３０内に設けられる連絡通路２５４０へ落下する。この連絡通路２５４０の底面は、ボール保持部２５２０に向けて傾斜しているため、連絡通路２５４０に落下した大型抽選ボール２４００は、自重により連絡通路２５４０を通ってボール保持部２５２０へ搬送される。
【００９３】
保持空間Ｆ内の大型抽選ボール２４００をボール回収口２５１０へ移動させる移動機構は、これに限られるものではなく、当該保持空間Ｆが回収箇所との対向位置にあるときにその保持空間Ｆ内の大型抽選ボール２４００をその自重のみによって又は回転搬送装置２１００の回転駆動力を利用してボール回収口２５１０へ移動させる構成を備えたものであれば、どのような構成のものでもよい。
例えば、回転搬送装置２１００の回転駆動力を利用したものとしては、大型抽選ボール２４００を保持した保持空間Ｆが回収箇所まで回転移動してボール回収口と対向したときにその大型抽選ボール２４００と当接する当接部材を用い機構が挙げられる。すなわち、保持空間移動経路の外周面外方にボール回収口を配置しておき、回転搬送中の大型抽選ボール２４００を当接部材で引っ掛けて保持空間移動経路の外周面外方へ押し出すように構成する。
【００９４】
本実施形態において、各保持空間Ｆには、それぞれ賞が割り当てられており、これらの賞の中に、本実施形態ではジャックポット賞、イベント賞、メダル供給賞が含まれている。センター抽選装置２０００では、大型抽選ボール２４００がどの保持空間Ｆに入るかという物理抽選（ジャックポット抽選）を行うものである。ジャックポット賞は、ジャックポット貯留枚数（払出量）分のメダルＭが、当該ジャックポット抽選の開始条件を満たしたステーション部ＳＴのプレイフィールド５００へ供給される賞である。このジャックポット貯留枚数は、所定の初期値（例えば５００枚）に対し、すべてのステーション部ＳＴでメダルが投入されるたびにそのメダル投入枚数の一部に相当する枚数（例えば０．０３枚）を累積的に加算したものである。このジャックポット賞に入賞したときにプレイフィールド５００へ供給されるメダル枚数すなわちジャックポット貯留枚数は、本プッシャーゲーム機１において一度にプレイフィールド５００へ供給され得るメダル枚数の中で最も多くなるように設定されている。よって、本プッシャーゲーム機１でプレイする遊技者は、通常、このジャックポット賞に入賞することを狙ってプレイすることになる。
【００９５】
また、イベント賞は、これに当選すると上述した所定のイベント条件が満たされ、以後の所定のイベント期間中、当該ジャックポット抽選の開始条件を満たしたステーション部ＳＴが属するサテライト部ＳＡにおいて、これに属する４つのステーション部ＳＴのいずれかで行われるサテライト抽選装置１０００での物理抽選で当選した当選ビンゴ数字が、他の３つのステーション部ＳＴでも当選ビンゴ数字として取り扱われるという賞である。
【００９６】
また、メダル供給賞は、当該ジャックポット抽選の開始条件を満たしたステーション部ＳＴのプレイフィールド５００へ規定枚数分のメダルＭを供給する賞である。なお、このメダル供給賞に入賞することより供給されるメダル枚数は、ジャックポット貯留枚数の初期値よりも少なくするのが好ましい。
【００９７】
また、センター抽選装置２０００のディスプレイ装置２３００には、ジャックポット抽選を行っていない期間は、図１７に示すように、現在のジャックポット貯留枚数すなわち今ジャックポット賞に入賞したとしたらプレイフィールド５００へ供給されることになるメダル枚数を示す画面が表示される。一方、ジャックポット抽選を行っている期間中は、そのジャックポット抽選の演出画面が表示される。
【００９８】
ジャックポット抽選を開始する際には、図示しない駆動装置により、装置支持台２２００自体が鉛直方向に平行な回転軸を中心に回転して、そのジャックポット抽選の開始条件を満たしたステーション部ＳＴが属するサテライト部ＳＡに対してセンター抽選装置２０００が正面を向くように駆動する。その後、ジャックポット抽選を進行する。このジャックポット抽選の詳細については後述する。
【００９９】
（ゲーム制御系の構成）
図１８は、本プッシャーゲーム機１のゲーム制御系の主要構成を示すブロック図である。なお、このブロック図は、説明の便宜上、ゲーム進行に応じて各部を駆動させるための駆動制御系等の構成については省略されている。
本実施形態におけるゲーム制御系の構成は、主に、ステーション部ＳＴの制御部６００と、サテライト抽選装置１０００の制御部６１０と、センター抽選装置２０００の制御部６２０とから構成される。ステーション部ＳＴの制御部６００は、主に上述したスロットゲーム及びビンゴゲームの全体的な進行制御を担い、サテライト抽選装置１０００の制御部６１０は、主に上述したビンゴゲームの物理抽選の制御やボールＢ１，Ｂ２の搬送制御を担い、センター抽選装置２０００の制御部６２０は、主に上述したジャックポット抽選の制御を担う。
【０１００】
ステーション部ＳＴの制御部６００は、主に、制御装置６０１と、ＲＯＭ６０２と、ＲＡＭ６０３と、通信装置６０４とから構成される。制御装置６０１は、ＲＯＭ６０２に記憶されている各種プログラムを実行し、各種制御を行う。ＲＯＭ６０２は、ステーション部ＳＴの制御部６００で行うべき各種制御の実行プログラム等を記憶している。ＲＡＭ６０３は、各種データあるいは情報を一時的に記憶するものである。通信装置６０４は、サテライト抽選装置１０００の制御部６１０との間でデータ通信を行うためのものである。
【０１０１】
サテライト抽選装置１０００の制御部６１０は、主に、制御装置６１１と、ＲＯＭ６１２と、ＲＡＭ６１３と、ステーション側通信装置６１４と、センター側通信装置６１５とから構成される。制御装置６１１は、ＲＯＭ６１２に記憶されている各種プログラムを実行し、各種制御を行う。ＲＯＭ６１２は、サテライト抽選装置１０００の制御部６１０で行うべき各種制御の実行プログラム等を記憶している。ＲＡＭ６１３は、各種データあるいは情報を一時的に記憶するものである。ステーション側通信装置６１４は、当該サテライト部ＳＡに属する各ステーション部ＳＴの制御部６００との間でデータ通信を行うためのものである。センター側通信装置６１５は、センター抽選装置２０００の制御部６２０との間でデータ通信を行うためのものである。
【０１０２】
以上の構成は、ステーション部ＳＴの制御部６００と、サテライト抽選装置１０００の制御部６１０と、センター抽選装置２０００の制御部６２０とが、直列に接続された例であるが、これらの制御部６００，６１０，６２０を互いに並列（スター型やバス型）に接続するようにしてもよい。
【０１０３】
（スロットゲームの流れ）
次に、本実施形態におけるプッシャーゲーム機１で進行するスロットゲームの流れについて説明する。
図１９は、本実施形態におけるスロットゲームの流れを示すフローチャートである。
遊技者が貯留部１０１上のメダルＭを上述したようにして第１のメダル投入口１０８―１や第２のメダル投入口１０９―１へ投入すると、プレイフィールド内のサブテーブル５１１上に向けてメダルＭが送り出される。そして、サブテーブル５１１上のメダルＭが落下したメダルＭのうちの一部のメダルＭは傾斜テーブル５１２に設けられたチャッカー５１５−１，５１５−２，５１５−３の何れかに進入して図示しないメダル検出手段により検出されると、その検出信号がステーション部ＳＴの制御部６００の制御装置６０１に送られ、制御装置６０１はチャッカー５１５−１，５１５−２，５１５−３の何れかにメダルＭが入ったことを把握する（Ｓ１）。これにより、制御装置６０１は、スロットゲームの開始条件が満たされたと判断し、ＲＯＭ６０２に記憶されている抽選プログラムを実行し、生成した乱数が所定の当選テーブルに照らして上述したいずれかの役に当選したか又はハズレたかを決定するデジタル抽選を行う（Ｓ２）。また、制御装置６０１は、表示部７００に表示されている図７に示すスロット用ゲーム画面の３つのダイス状スロットＤＳを回転させる表示制御を行うとともに、デジタル抽選で当選役が決定した場合には表示部７００にその当選役に係る図柄の組み合わせが停止表示するように、３つのダイス状スロットＤＳの回転を停止させる表示制御を行う（Ｓ３）。
【０１０４】
上記デジタル抽選でいずれの役にも当選しないハズレが決定された場合（Ｓ４）、制御装置６０１はそのままスロットゲームを終了する。
一方、小当たり役Ａに当選した場合（Ｓ５）、制御装置６０１は、図示しないメダル供給手段を制御してプレイフィールド５００へ３枚のメダルを供給する（Ｓ６）。このメダル供給手段は、遊技者が貯留部１０１上のメダルＭを投入したときにプレイフィールド内のサブテーブル５１１上へメダルＭが送り出す上述した機構を共用したものであってもよいし、これとは別体に設けてもよい。別体に設ける場合には、この機構と同様の構成を採用することができる。すなわち、リフトアップホッパによりメダルＭをメダル排出経路の供給端までリフトアップされ、そのメダル排出経路を介して排出端からプレイフィールド５００上へ供給するという構成とすることができる。
また、小当たり役Ｂに当選した場合（Ｓ７）、制御装置６０１は、上記メダル供給手段を制御してプレイフィールド５００へ８枚のメダルを供給する（Ｓ８）。
【０１０５】
また、通常ボーナス役に当選した場合（Ｓ９）、制御装置６０１は、上記メダル供給手段を制御してプレイフィールド５００へ３０枚のメダルを供給する（Ｓ１０−１）。また、制御装置６０１は、以後のデジタル抽選で用いる当選テーブルとして、当選確率が低めに設定された通常当選テーブルを用いるように設定変更する（Ｓ１０−２）。
また、確変ボーナス役に当選した場合（Ｓ１１）、制御装置６０１は、上記メダル供給手段を制御してプレイフィールド５００へ３０枚のメダルを供給する（Ｓ１２−１）。また、制御装置６０１は、以後のデジタル抽選で用いる当選テーブルとして、当選確率が高めに設定された高確率当選テーブルを用いるように設定変更する（Ｓ１２−２）。
【０１０６】
また、ボール供給役が当選した場合（Ｓ１３）、制御装置６０１は、サテライト抽選装置１０００における制御部６１０の制御装置６１１へボールＢ１についてのボール供給命令を出力する。これにより、ボール供給機構１３００からボールキャリア１５２０へボールＢ１が受け渡され、そのボールキャリア１５２０から当該ボール供給役が当選したステーション部ＳＴのボール投入機構１８００へボールＢ１が受け渡される。ボール投入機構１８００へ受け渡されたボールＢ１は、ボール投入スロープ１８０１のストッパ１８０２によって一時的に保持される。そして、遊技者がボタン１６０を押し、その操作信号を制御装置６０１が受けったタイミングで、制御装置６０１は、ボールＢ１はストッパ１８０２から解放され、ボールＢ１がボール投入スロープ１８０１上を転がり落ち、ボール投入位置抽選機構１８１０へ受け渡される。そして、このボール投入位置抽選機構１８１０で、プレイフィールド５００上へのボール供給位置の抽選が行われ、メインテーブル５０１上における奥側か手前側のいずれかにボールＢ１が供給される（Ｓ１４）。このボール投入位置抽選機構１８１０は、ボールＢ１，Ｂ２が通過可能なボール受け口がボール投入スロープ１８０１の最下点を中心に手前側と奥側との間を往復移動する構成を有している。ボール受け口にボールが入るとメインテーブル５０１上の手前側にそのボールが供給され、ボール受け口にボールが入らないとメインテーブル５０１上の奥側にそのボールが供給される。ボールがメインテーブル５０１上の手前側に供給されると、メインテーブル５０１上の奥側に供給される場合に比べてメダル落下溝までの移動距離が短いため、そのボールＢ１をメダル落下溝へ落としやすくなり、ビンゴゲームの開始条件を満たしやすくなる。したがって、遊技者は、ストッパ１８０２で保持されたボールＢ１が、ボール投入位置抽選機構１８１０のボール受け口にボールＢ１が入るようにタイミングを計ってボタン１６０を押すようにプレイすることになる。
【０１０７】
また、直接サテライト役が当選した場合（Ｓ１５）、制御装置６０１は、サテライト抽選装置１０００における制御部６１０の制御装置６１１へボールＢ１についてのボール供給命令を出力する。これにより、ボール供給機構１３００からボールキャリア１５２０へボールＢ１が受け渡される。その後、ボールキャリア１５２０は、ステージボール投入機構１６００と対向する位置へ移動し、ステージボール投入機構１６００の受皿１６１０へボールＢ１を受け渡す。そして、遊技者がボタン１６０を押し、その操作信号を制御装置６０１が受けったタイミングで、制御装置６０１は、ボール投入命令がサテライト抽選装置１０００における制御部６１０の制御装置６１１へ出力する。これにより、ボールＢ１はボール投入経路１１１０を介してアウタービンゴステージ１１００へ投入され、物理抽選が行われる。また、直接サテライト役が当選した場合、制御装置６０１は、ビンゴゲームの開始条件が満たされたとして、後述するビンゴゲームを開始する（Ｓ２０）。
【０１０８】
また、直接センター役が当選した場合（Ｓ１６）、制御装置６０１は、サテライト抽選装置１０００の制御部６１０を介してセンター抽選装置２０００における制御部６２０の制御装置６２１に対し、ジャックポット抽選の開始命令を出力する。これにより、後述するセンター抽選装置２０００においてジャックポット抽選が開始される（Ｓ４０）。
【０１０９】
（ビンゴゲームの流れ）
次に、本実施形態におけるプッシャーゲーム機１で進行するビンゴゲームの流れについて説明する。
図２０は、本実施形態におけるビンゴゲームの流れを示すフローチャートである。
本実施形態のビンゴゲームでは、ボールＢ１，Ｂ２がメダル落下溝に落ちるか、上述したスロットゲームで直接サテライト役に当選するかのいずれかのビンゴゲームの開始条件を満たすと（Ｓ２１）、ステーション部ＳＴにおける制御部６００の制御装置６０１は、ＲＯＭ６０２に記憶されているビンゴ実行プログラムを実行し、ビンゴゲームを開始する。具体的には、制御装置６０１は、まず、表示部７００に表示されている図７に示したスロット用ゲーム画面を図８に示したビンゴ用ゲーム画面に切り替え、その表示制御を行う（Ｓ２２）。ここで、ビンゴ用ゲーム画面に表示されているビンゴカード画像ＢＣは、過去の任意のタイミングで生成された配列情報に基づくものである。配列情報を生成するタイミングは、本プッシャーゲーム機１の電源投入時、図示しないリセットボタンの操作時、過去のビンゴゲームでビンゴが成立した時などが挙げられる。本実施形態では、ビンゴゲームでビンゴが成立した時に新しい配列情報を生成し、これを過去の配列情報と置き換える場合を例に挙げて説明する。
【０１１０】
また、制御装置６０１は、ビンゴゲームの開始条件が満たされたとき、サテライト抽選装置１０００における制御部６１０の制御装置６１１へビンゴ開始命令を出力する。これにより、制御装置６１１は、その命令を受けたステーション部ＳＴのボール運搬機構１９００におけるボール運搬部走行スロープ１９０１の出口に対向する位置へボールキャリア１５２０を移動させる。また、制御装置６０１は、ボール運搬機構１９００を制御して、メダル落下溝に落下したボールＢ１，Ｂ２をボール運搬部走行スロープ１９０１からボールキャリア１５２０へ搬送する。その後、上述したようにサテライト抽選装置１０００における制御部６１０の制御装置６１１は、ボールキャリア１５２０をステージボール投入機構１６００の対向位置へ移動させ、そのボールＢ１，Ｂ２の種類に応じ、ステージボール投入機構１６００を制御してボールＢ１，Ｂ２をアウタービンゴステージ１１００又はインナービンゴステージ１２００へ投入する（Ｓ２３）。
【０１１１】
アウタービンゴステージ１１００又はインナービンゴステージ１２００へ投入されたボールＢ１，Ｂ２がいずれかの入賞スポット１１０１，１２０１に入ると、その信号がサテライト抽選装置１０００における制御部６１０の制御装置６１１に送られる。これにより、制御装置６１１は、どの入賞スポット１１０１，１２０１にボールＢ１，Ｂ２が入ったかを認識する。このとき、ボールＢ１，Ｂ２が入った入賞スポット１１０１，１２０１が、センター抽選装置２０００でのジャックポット抽選開始の権利が割り当てられたＪＰ入賞スポットである場合（Ｓ２４のＹｅｓ）、制御装置６１１は、センター抽選装置２０００における制御部６２０の制御装置６２１に、ジャックポット抽選の開始命令を出力する。これにより、センター抽選装置２０００においてジャックポット抽選が開始される（Ｓ４０）。
【０１１２】
一方、ボールＢ１，Ｂ２が入った入賞スポット１１０１，１２０１が、ビンゴ数字の割り当てられた入賞スポットである場合（Ｓ２４のＮｏ）、サテライト抽選装置１０００における制御部６１０の制御装置６１１は、その割り当てられているビンゴ数字を示す情報を、当該ビンゴゲームの開始条件を満たしたステーション部ＳＴにおける制御部６００の制御装置６０１へ出力する。この情報を受けた制御装置６０１は、記憶手段としてのＲＡＭ６０３内の当選ビンゴ数字記憶領域に、その情報に係るビンゴ数字を当選ビンゴ数字として記憶する。なお、この当選ビンゴ数字記憶領域には、当該ステーション部ＳＴに対応する配列情報が生成されてからの当選ビンゴ数字が累積的に記憶される。そして、制御装置６０１は、判定手段として機能し、その当選ビンゴ数字記憶領域に記憶されているすべての当選ビンゴ数字と、ＲＡＭ６０３内の配列情報記憶領域に記憶されている当該配列情報とを参照し、その配列情報が示すビンゴカード上の「１」から「９」のビンゴ数字の配列であるカード配列（抽選対象配列）上における当該すべての当選ビンゴ数字の配列が特定配列であるか否かのビンゴ判定を行う（Ｓ２５）。なお、本実施形態における特定配列は、３×３のビンゴカード上における縦、横、斜めの列であり、合計８列である。
【０１１３】
本実施形態において、各特定配列には、所定枚数のメダルをプレイフィールド５００へ払い出すメダル払出賞、ボールＢ１をプレイフィールド５００へ供給する通常ボール供給賞、ボールＢ２をプレイフィールド５００へ供給する特別ボール供給賞のいずれかが割り当てられている。上記ビンゴ判定において、制御装置６０１が特定配列でないと判定した場合すなわちビンゴが成立していないと判定した場合（Ｓ２５のＮｏ）、ビンゴゲームを終了する。
【０１１４】
一方、制御装置６０１は、ビンゴが成立したと判定し（Ｓ２５のＹｅｓ）、その特定配列が特別ボール供給賞に係るものである場合には（Ｓ２６のＹｅｓ）、上述したスロットゲームにおいて小当たり役Ａ等のメダル供給役が当選した場合と同様の方法でプレイフィールド５００上へ所定枚数のメダルＭを供給するとともに（Ｓ２７−１）、上述したスロットゲームにおいてボール供給役が当選した場合と同様の方法でプレイフィールド５００上へボールＢ２を供給する（Ｓ２７−２）。
また、制御装置６０１は、ビンゴが成立した特定配列が通常ボール供給賞に係るものである場合には（Ｓ２８のＹｅｓ）、上述したスロットゲームにおいて小当たり役Ａ等のメダル供給役が当選した場合と同様の方法でプレイフィールド５００上へ所定枚数のメダルＭを供給するとともに（Ｓ２９−１）、上述したスロットゲームにおいてボール供給役が当選した場合と同様の方法でプレイフィールド５００上へボールＢ１を供給する（Ｓ２９−２）。
また、制御装置６０１は、ビンゴが成立した特定配列がメダル供給賞に係るものである場合には（Ｓ２８のＮｏ）、上述したスロットゲームにおいて小当たり役Ａ等のメダル供給役が当選した場合と同様の方法でプレイフィールド５００上へ所定枚数のメダルＭを供給する（Ｓ３０）。
なお、ビンゴが成立したときにプレイフィールド５００上へ供給されるメダルＭの枚数は、そのビンゴ成立に係る賞ごとに異なる枚数としてもよいし、同じ枚数としてもよい。
【０１１５】
このようにして、ビンゴ成立後の処理を行った制御装置６０１は、配列情報生成手段として機能し、ＲＯＭ６０２に記憶されている配列情報生成プログラムを実行して新たな配列情報を生成し、ＲＡＭ６０３の配列情報記憶領域に記憶されている配列情報を新たに生成した配列情報に置き換えて、配列情報をリセットする（Ｓ３１）。
【０１１６】
（ジャックポット抽選の流れ）
次に、本実施形態におけるプッシャーゲーム機１で進行するジャックポット抽選の流れについて説明する。
図２１は、本実施形態におけるジャックポット抽選の流れを示すフローチャートである。
本実施形態のジャックポット抽選は、上述したビンゴゲームにおけるサテライト抽選装置１０００での物理抽選でセンター抽選装置２０００でのジャックポット抽選開始の権利が割り当てられた入賞スポットにボールＢ１，Ｂ２が入るか、上述したスロットゲームで直接センター役に当選するかのいずれかのジャックポット抽選の開始条件を満たすと（Ｓ４１）、センター抽選装置２０００における制御部６２０の制御装置６２１は、ＲＯＭ６２２に記憶されているジャックポット実行プログラムを実行し、ジャックポット抽選を開始する。具体的には、制御装置６２１は、まず、装置支持台２２００を回転させて、当該ジャックポット抽選の開始条件を満たしたステーション部ＳＴが属するサテライト部ＳＡに対してセンター抽選装置２０００が正面を向くように駆動制御する。また、ディスプレイ装置２３００にジャックポット抽選の演出用画面を表示し、これを表示制御する。
【０１１７】
その後、当該ステーション部ＳＴでプレイする遊技者がそのステーション部ＳＴのボタン１６０を押すと（Ｓ４２）、その操作信号がそのステーション部ＳＴにおける制御部６００の制御装置６０１に入力される。これにより、制御装置６０１は、サテライト抽選装置１０００の制御部６１０を介してセンター抽選装置２０００における制御部６２０の制御装置６２１へボール投入命令を出力する。これにより、制御装置６２１は大型ボール投入機構２５００へボール投入命令を出力する。ボール投入命令を受けた大型ボール投入機構２５００は、ボールストッパ２５２１をボール保持位置からボール解放位置へ移動させ、ボール保持部２５２０に保持されていた大型抽選ボール２４００を搬送スロープ２６００へ投入する（Ｓ４３）。これにより、大型抽選ボール２４００は搬送スロープ２６００上をその最下点を中心に振り子のように移動し、最終的に回転搬送装置２１００のいずれかの保持空間Ｆ内に入り込む。大型抽選ボール２４００がいずれかの保持空間Ｆに入ると、その信号がセンター抽選装置２０００における制御部６２０の制御装置６２１に送られる。これにより、制御装置６２１は、大型抽選ボール２４００が入った保持空間Ｆを認識する。
【０１１８】
このとき、大型抽選ボール２４００が入った保持空間Ｆが、ジャックポット賞の割り当てられたものである場合（Ｓ４４のＹｅｓ）、制御装置６２１は、ＲＡＭ６２３からジャックポット貯留枚数データを読み出し、そのデータが示す枚数分のメダルＭを、当該ジャックポット抽選の開始条件を満たしたステーション部ＳＴのプレイフィールド５００へ供給するための処理を行う（Ｓ４５−１）。このとき、制御装置６２１からステーション部ＳＴにおける制御部６００の制御装置６０１へメダル供給命令を出力し、制御装置６０１の制御の下で上述した通常のメダル供給処理と同様の方法でメダルＭをプレイフィールド５００へ供給するようにしてもよい。ただし、ジャックポット賞に入賞したときに供給されるメダルは大量なので、上述した通常のメダル供給処理とは別に、独自のメダル供給機構を用いた処理としてもよい。この場合、ジャックポット賞に入賞したときの演出としても好適である。また、制御装置６２１は、ＲＡＭ６２３に記憶されているジャックポット貯留枚数データを初期値にリセットする（Ｓ４５−２）。
【０１１９】
一方、大型抽選ボール２４００が入った保持空間Ｆが、イベント賞の割り当てられたものである場合（Ｓ４６のＹｅｓ）、制御装置６２１は、当該ジャックポット抽選の開始条件を満たしたステーション部ＳＴにおける制御部６００の制御装置６０１へメダル供給命令を出力する。これにより、上述したスロットゲームにおいて小当たり役Ａ等のメダル供給役が当選した場合と同様の方法で、当該ステーション部ＳＴのプレイフィールド５００上へ所定枚数（例えば１００枚）のメダルＭが供給される（Ｓ４７−１）。また、制御装置６２１は、当該ステーション部ＳＴが属するサテライト部ＳＡのサテライト抽選装置１０００における制御部６１０の制御装置６１１へイベント開始命令を出力する。これを受けた制御装置６１１は、所定のイベント条件が満たされたと判断し、以後の所定のイベント期間中、当該サテライト部ＳＡに属する４つのステーション部ＳＴのいずれかについて行うビンゴゲームの物理抽選で当選する当選ビンゴ数字を、他の３つのステーション部ＳＴでも当選ビンゴ数字として取り扱うようにイベント処理する（Ｓ４７−２）。具体的には、制御装置６１１は、所定のイベント期間中に行うサテライト抽選装置１０００の物理抽選で当選した当選ビンゴ数字を示す情報を、当該サテライト部ＳＡに属するすべてのステーション部ＳＴにおける制御部６００の制御装置６０１へ出力する。
【０１２０】
また、大型抽選ボール２４００が入った保持空間Ｆが、メダル供給賞の割り当てられたものである場合（Ｓ４６のＮｏ）、制御装置６２１は、当該ジャックポット抽選の開始条件を満たしたステーション部ＳＴにおける制御部６００の制御装置６０１へメダル供給命令を出力する。これにより、上述したスロットゲームにおいて小当たり役Ａ等のメダル供給役が当選した場合と同様の方法で、当該ステーション部ＳＴのプレイフィールド５００上へ所定枚数のメダルＭが供給される（Ｓ４８）。
【０１２１】
以上、本実施形態においては、大型ボール投入機構２５００のボール保持部２５２０から、大型抽選ボール２４００がその自重のみによって搬送スロープ２６００へ導入され、その自重のみによって搬送スロープ２６００のスロープ面上を移動した後、回転搬送装置２１００に設けられた複数の保持空間Ｆの入口をそれぞれ構成する複数の抽選口のいずれに進入する。その後、いずれかの抽選口から保持空間Ｆ内に入り込んだ大型抽選ボール２４００は、回転搬送装置２１００の回転駆動により上方へ搬送され、回収箇所との対向位置に到達すると、自重のみによって又は回転搬送装置２１００の回転駆動力を利用して、大型ボール投入機構２５００のボール回収口２５１０へ移動する。そして、ボール回収口２５１０へ移動した大型抽選ボール２４００は、その自重のみによってボール保持部２５２０へ搬送され、次の抽選に使用可能な状態になる。このように、本実施形態においては、大型抽選ボール２４００が循環搬送される搬送経路上において駆動機構を用いた搬送機構は回転搬送装置２１００のみである。したがって、必要最小限の駆動機構だけで大型抽選ボール２４００を循環搬送することができる。しかも、駆動機構を唯一用いている回転搬送装置２１００の回転駆動は、抽選結果の予測困難性を高めるなどの効果を得る目的で行われているものであることから、本実施形態では大型抽選ボール２４００を搬送するためだけの駆動機構は存在せず、大型抽選ボール２４００の搬送機構の大型化を抑制し、低コスト化を図ることができる。
しかも、本実施形態のジャックポット抽選では、１個の大型抽選ボール２４００を繰り返し使用するものであることから、ジャックポット抽選に用いる大型抽選ボール２４００を貯留スペースは１個分で済む。よって、ジャックポット抽選に用いる抽選用移動物体の大型化が容易であり、より迫力のある抽選演出を実現することが可能となる。
【０１２２】
なお、本実施形態では、回転搬送装置２１００の回転軸が鉛直方向に対しても水平方向に対しても傾斜している例について説明したが、本発明は、この回転軸が鉛直方向真上に向いていない限り適用可能である。
また、本実施形態では、回転搬送装置２１００に設けられた複数の保持空間Ｆがそれぞれ有する複数の抽選口は保持空間移動経路の外周面側に開口しており、搬送スロープ２６００は大型抽選ボール２４００を保持空間移動経路の外周面側からいずれかの抽選口へ案内するように構成されている例について説明したが、本発明はこれに限られるものではない。例えば、複数の保持空間Ｆがそれぞれ有する複数の抽選口が保持空間移動経路の内周面側に開口しており、上記搬送スロープ２６００のような案内機構が大型抽選ボール２４００を保持空間移動経路の内周面側からいずれかの抽選口へ案内するように構成されているものであってもよい。
【図面の簡単な説明】
【０１２３】
【図１】実施形態に係るプッシャーゲーム機におけるセンター抽選装置の構成を示す斜視図。
【図２】同センター抽選装置の構成を示す正面図。
【図３】同センター抽選装置における回転搬送装置の一部を示す説明図。
【図４】同プッシャーゲーム機の全体構成を示す部分斜視図。
【図５】同プッシャーゲーム機におけるステーション部の構成を説明するための説明図。
【図６】同ステーション部の内部構造を説明するための説明図。
【図７】同ステーション部の表示部に表示されるスロット用ゲーム画面の一例を示す説明図。
【図８】同ステーション部の表示部に表示されるビンゴ用ゲーム画面の一例を示す説明図。
【図９】同プッシャーゲーム機におけるサテライト抽選装置の主要構成を示す斜視図。
【図１０】同ステーション部のプレイフィールド及びその周辺部の構成を抽出した部分斜視図。
【図１１】（ａ）及び（ｂ）は同プレイフィールドにおけるプッシャー部の往復運動を説明するための説明図。
【図１２】同ステーション部のメダル投入機構を示す斜視図。
【図１３】同メダル投入機構の正面図。
【図１４】同メダル投入機構の上面図。
【図１５】同メダル投入機構の正面透視図。
【図１６】同メダル投入機構の部分分解図。
【図１７】同センター抽選装置のディスプレイ装置に表示される画面の一例を示す説明図。
【図１８】同プッシャーゲーム機におけるゲーム制御系の主要構成を示すブロック図。
【図１９】同プッシャーゲーム機で行われるスロットゲームの流れを示すフローチャート。
【図２０】同プッシャーゲーム機で行われるビンゴゲームの流れを示すフローチャート。
【図２１】同プッシャーゲーム機で行われるジャックポット抽選の流れを示すフローチャート。
【符号の説明】
【０１２４】
１  プッシャーゲーム機
１００  メダル投入機構
１６０  ボタン
５００  プレイフィールド
５０１  メインテーブル
５１０  プッシャー部
５１２  傾斜テーブル
５１５  チャッカー
６００，６１０，６２０ 制御部
７００  表示部
１０００  サテライト抽選装置
１１００  アウタービンゴステージ
１１０１，１２０１  入賞スポット
１２００  インナービンゴステージ
１５２０  ボールキャリア
１６００  ステージボール投入機構
１８００  ボール投入機構
２０００  センター抽選装置
２１００  回転搬送装置
２３００  ディスプレイ装置
２４００  大型抽選ボール
２５００  大型ボール投入機構
２５１０  ボール回収口
２５２０  ボール保持部
２５２１  ボールストッパ
２６００  搬送スロープ
２６０１，２６０２  進入防止柵
２６０３  ガイド柵
Ｂ１，Ｂ２  ボール
ＢＣ  ビンゴカード画像
ＤＳ  ダイス状スロット
Ｆ  保持空間
Ｍ  メダル
ＳＡ  サテライト部
ＳＴ  ステーション部
【図１】
2007215650.tif 000003
【図２】
2007215650.tif 000004
【図３】
2007215650.tif 000005
【図４】
2007215650.tif 000006
【図５】
2007215650.tif 000007
【図６】
2007215650.tif 000008
【図９】
2007215650.tif 000009
【図１０】
2007215650.tif 000010
【図１１】
2007215650.tif 000011
【図１２】
2007215650.tif 000012
【図１３】
2007215650.tif 000013
【図１４】
2007215650.tif 000014
【図１５】
2007215650.tif 000015
【図１６】
2007215650.tif 000016
【図１８】
2007215650.tif 000017
【図１９】
2007215650.tif 000018
【図２０】
2007215650.tif 000019
【図２１】
2007215650.tif 000020
【図７】
2007215650.tif 000021
【図８】
2007215650.tif 000022
【図１７】
2007215650.tif 000023